(57)【特許請求の範囲】
【請求項１】
操作可能な入力操作部を有する携帯端末装置と、
前記携帯端末装置が着脱可能に装着される装着装置と、
情報を入力する情報入力部と、
特定の認証情報を登録する情報登録部と、
前記情報入力部により入力された情報が前記登録された特定の認証情報と一致したとき認証できたとする認証部と、
前記携帯端末装置が前記装着装置に対して装着された装着状態かまたは取り外された取外し状態かを検出する検出部と、
前記入力操作部の操作に従って前記携帯端末装置が処理動作を実行することを許可する許可モードと、前記入力操作部の操作に従って前記携帯端末装置が処理動作を実行することを制限する制限モードとのいずれかに、前記携帯端末装置の動作モードを設定するモード設定部と、
前記認証部により認証されたときに、前記モード設定部に前記許可モードを設定させ、前記認証部により認証されず、かつ、前記検出部により前記携帯端末装置の取外し状態が検出されたときに、前記モード設定部に前記制限モードを設定させる制御部と、
を備えたことを特徴とする不正操作防止システム。
【請求項２】
前記認証部によりに認証されずに前記検出部により前記携帯端末装置の取外し状態が検出されると直ちに、前記制御部が前記モード設定部に前記制限モードを設定させることを特徴とする請求項１に記載の不正操作防止システム。
【請求項３】
前記情報入力部は、
前記装着装置に備えられた第１入力部と、前記携帯端末装置に備えられた第２入力部とから構成され、
前記認証部は、
前記第１入力部により入力された第１入力情報と前記第２入力部により入力された第２入力情報との組み合わせが前記登録された特定の認証情報と一致したとき認証できたとすることを特徴とする請求項１または請求項２に記載の不正操作防止システム。
【請求項４】
操作可能な入力操作部を有し、装着装置に対して着脱可能に装着される携帯端末装置であって、
情報を入力する情報入力部と、
特定の認証情報を登録する情報登録部と、
前記情報入力部により入力された入力情報が前記登録された特定の認証情報と一致したとき認証できたとする認証部と、
前記携帯端末装置が前記装着装置に対して装着された装着状態かまたは取り外された取外し状態かを検出する検出部と、
前記入力操作部の操作に従って前記携帯端末装置が処理動作を実行することを許可する許可モードと、前記入力操作部の操作に従って前記携帯端末装置が処理動作を実行することを制限する制限モードとのいずれかに、前記携帯端末装置の動作モードを設定するモード設定部と、
前記認証部により認証されたときに、前記モード設定部に前記許可モードを設定させ、前記認証部により認証されず、かつ、前記検出部により前記携帯端末装置の取外し状態が検出されたときに、前記モード設定部に前記制限モードを設定させる制御部と、
を備えることを特徴とする不正操作防止機能を備えた携帯端末装置。
【請求項５】
前記携帯端末装置の入力操作部は、複数のキーを有し、
前記情報入力部は、前記複数のキーの中の少なくとも１つの特定のキーから構成されることを特徴とする請求項４に記載の不正操作防止機能を備えた携帯端末装置。
【請求項６】
第１入力情報を入力するための第１入力部とその第１入力情報を通信により携帯端末装置へ送信する送信部とを備えた装着装置に対して着脱可能に装着され、操作可能な入力操作部を有する携帯端末装置であって、
第２入力情報を入力する第２入力部と、
前記装着装置の送信部から送信された第１入力情報を受信する受信部と、
特定の認証情報を登録する情報登録部と、
前記受信部により受信された第１入力情報と前記第２入力部により入力された第２入力情報とが組み合わされた入力情報が前記登録された特定の認証情報と一致したとき認証できたとする認証部と、
前記携帯端末装置が前記装着装置に対して装着された装着状態かまたは取り外された取外し状態かを検出する検出部と、
前記入力操作部の操作に従って前記携帯端末装置が処理動作を実行することを許可する許可モードと、前記入力操作部の操作に従って前記携帯端末装置が処理動作を実行することを制限する制限モードとのいずれかに、前記携帯端末装置の動作モードを設定するモード設定部と、
前記認証部により認証されたときに、前記モード設定部に前記許可モードを設定させ、前記認証部により認証されず、かつ、前記検出部により前記携帯端末装置の取外し状態が検出されたときに、前記モード設定部に前記制限モードを設定させる制御部と、
を備えることを特徴とする不正操作防止機能を備えた携帯端末装置。
【請求項７】
前記携帯端末装置の入力操作部は、複数のキーを有し、
前記第１入力部は、前記複数のキーの中の少なくとも１つの特定のキーから構成されることを特徴とする請求項６に記載の不正操作防止機能を備えた携帯端末装置。
【請求項８】
情報を入力する情報入力部とその入力情報を通信により携帯端末装置へ送信する送信部とを備えた装着装置に対して着脱可能に装着され、操作可能な入力操作部を有する携帯端末装置であって、
前記装着装置の送信部から送信された入力情報を受信する受信部と、
特定の認証情報を登録する情報登録部と、
前記受信部により受信された入力情報が前記登録された特定の認証情報と一致したとき認証できたとする認証部と、
前記携帯端末装置が前記装着装置に対して装着された装着状態かまたは取り外された取外し状態かを検出する検出部と、
前記入力操作部の操作に従って前記携帯端末装置が処理動作を実行することを許可する許可モードと、前記入力操作部の操作に従って前記携帯端末装置が処理動作を実行することを制限する制限モードとのいずれかに、前記携帯端末装置の動作モードを設定するモード設定部と、
前記認証部により認証されたときに、前記モード設定部に前記許可モードを設定させ、前記認証部により認証されず、かつ、前記検出部により前記携帯端末装置の取外し状態が検出されたときに、前記モード設定部に前記制限モードを設定させる制御部と、
を備えることを特徴とする不正操作防止機能を備えた携帯端末装置。
【請求項９】
前記認証部によりに認証されずに前記検出部により前記携帯端末装置の取外し状態が検出されると直ちに、前記制御部が前記モード設定部に前記制限モードを設定させることを特徴とする請求項４から請求項８のいずれかに記載の不正操作防止機能を備えた携帯端末装置。
【請求項１０】
種々の情報を記憶する記憶部と、
前記入力操作部の操作に従って前記記憶部に記憶された情報を表示する表示部とを備え、
前記モード設定部は、
前記記憶部により記憶された種々の情報中の少なくとも一部の情報が前記表示部により表示されることを制限する表示制限モードを前記制限モードとして設定し得ることを特徴とする請求項４から請求項９のいずれかに記載の不正操作防止機能を備えた携帯端末装置。
【請求項１１】
前記記憶部により記憶された情報が機密情報であるか否かを判別するための判別情報を付与する判別情報付与部と、
前記記憶部により記憶された情報が機密情報であるか否かを、前記判別情報付与部により付与された判別情報に基づいて判別する機密情報判別部とを備え、
前記モード設定部は、
前記機密情報判別部により機密情報であると判別された場合、前記機密情報が前記表示部により表示されることを制限する表示制限モードとして設定し得ることを特徴とする請求項１０に記載の不正操作防止機能を備えた携帯端末装置。
【請求項１２】
種々の情報を記憶する記憶部と、
前記入力操作部の操作に従って前記記憶部により記憶される種々の情報を表示する表示部と、
前記記憶部に記憶される情報を暗号化する暗号化処理部とを備え、
前記モード設定部は、
前記記憶部により記憶された種々の情報中の少なくとも一部の情報が前記暗号化処理部により暗号化される暗号化モードを前記制限モードとして設定し得ることを特徴とする請求項４から１１のいずれかに記載の不正操作防止機能を備えた携帯端末装置。
【請求項１３】
種々の情報を記憶する記憶部と、
前記入力操作部の操作に従って前記記憶部に記憶された情報を表示するために、情報表示指令に従って駆動電圧が供給された時に表示情報を書き換え、駆動電圧の供給が停止された時に表示情報を維持する不揮発性表示部とを備え、
前記モード設定部が、
前記不揮発性表示部に駆動電圧の供給を停止する停止モードを含む前記制限モードを設定し得ることを特徴とする請求項４から請求項１２のいずれかに記載の不正操作防止機能を備えた携帯端末装置。
【請求項１４】
前記制御部は、
前記認証部により認証されず、かつ前記検出部により前記携帯端末装置の取外し状態が検出されたときに、前記携帯端末装置が前記制限モードに設定されることを前記不揮発性表示部に表示させ、その後に前記不揮発性表示部に駆動電圧を供給しない停止モードを前記モード設定部に設定させることを特徴とする請求項１３に記載の不正操作防止機能を備えた携帯端末装置。
【請求項１５】
前記認証部により認証された時からの経過時間を計測する第１時間計測部を備え、
前記第１時間計測部により所定の第１時間が計測されるまでの間に、前記検出部により前記携帯端末装置の取外し状態が検出されなかったときに、前記第１時間計測部により所定の第１時間が計測された後に、前記認証部は、新たに入力された前記入力情報が前記登録された特定の認証情報と一致したか再度前記認証動作を行うことを特徴とする請求項４から請求項１４のいずれかに記載の不正操作防止機能を備えた携帯端末装置。
【請求項１６】
前記検出部により前記携帯端末装置の取外し状態から装着状態への変化が検出されてからの経過時間を計測する第２時間計測部を備え、
前記第２時間計測部により計測された経過時間が所定の第２時間以内であり、かつ前記検出部により前記携帯端末装置の取り外しが検出されたときに、前記モード設定部に前記許可モードを設定させ、前記第２時間計測部により所定の第２時間が計測されたときに、前記認証部は、新たに入力された前記入力情報が前記登録された特定の認証情報と一致したか再度前記認証動作を行うことを特徴とする請求項４から請求項１５のいずれかに記載の不正操作防止機能を備えた携帯端末装置。
【請求項１７】
種々の情報を記憶する記憶部と、
前記入力操作部の操作に従って前記記憶部に記憶された情報を表示するために、情報表示指令に従って駆動電圧が供給された時に表示情報を書き換え、駆動電圧の供給が停止された時に表示情報を維持する不揮発性表示部とを備え、
前記制御部は、
前記第２時間計測部により所定の第２時間が計測されるまでの間だけ、前記認証部が前記認証動作を行わないで前記モード設定部に前記許可モードを設定させることを前記不揮発性表示部に表示させ、その所定の第２時間の経過後に前記不揮発性表示部への駆動電圧の供給を停止する停止モードを含む前記制限モードを前記モード設定部に設定させることを特徴とする請求項１６に記載の不正操作防止機能を備えた携帯端末装置。
【請求項１８】
請求項６に記載の不正操作防止機能を備えた携帯端末装置が着脱可能に装着される装着装置であって、
第１入力情報を入力する第１入力部と、
前記第１入力部から入力された第１入力情報を通信により前記携帯端末装置に送信する送信部と、
を備えることを特徴とする装着装置。
【請求項１９】
請求項８に記載の不正操作防止機能を備えた携帯端末装置が着脱可能に装着される装着装置であって、
情報を入力する情報入力部と、
前記情報入力部から入力された入力情報を通信により前記携帯端末装置に送信する送信部と、
を備えることを特徴とする装着装置。
【請求項２０】
特定の認証情報を登録する情報登録ステップと、
情報入力部により入力された情報が前記登録された特定の認証情報と一致したとき認証できたとする認証ステップと、
操作可能な入力操作部を有する携帯端末装置が装着装置に対して装着された装着状態かまたは取り外された取外し状態かを検出する検出ステップと、
前記認証ステップにより認証されたときに、前記入力操作部の操作に従って前記携帯端末装置が処理動作を実行することを許可する許可ステップと、
前記認証ステップにより認証されず、かつ、前記携帯端末装置の取外し状態が検出されたときに、前記入力操作部の操作に従って前記携帯端末装置が処理動作を実行することを制限する制限ステップと、
を備えたことを特徴とする不正操作防止方法。
【請求項２１】
特定の認証情報を登録する情報登録ステップと、
情報入力部により入力された情報が前記登録された特定の認証情報と一致したときに認証できたとする認証ステップと、
操作可能な入力操作部を有する携帯端末装置が装着装置に対して装着された装着状態かまたは取り外された取外し状態かを検出する検出ステップと、
前記認証ステップにより認証されたときに、前記入力操作部の操作に従って前記携帯端末装置が処理動作を実行することを許可する許可ステップと、
前記認証ステップにより認証されず、かつ、前記携帯端末装置の取外し状態が検出されたときに、前記入力操作部の操作に従って前記携帯端末装置が処理動作を実行することを制限する制限ステップと、
をコンピュータに実現させる不正操作防止プログラム。
【発明の詳細な説明】
【技術分野】
【０００１】
本発明は、不正操作防止システム、不正操作防止機能付き携帯端末装置、不正操作防止機能付き装着装置、不正操作防止方法、及び不正操作防止プログラムに関する。詳細には、携帯端末装置がクレードルや設置台に代表される装着装置から不正に取り外されたときに、携帯端末装置の入力操作部に従う処理動作を制限する不正操作防止システム、不正操作防止機能付き携帯端末装置、不正操作防止機能付き装着装置、不正操作防止方法、及び不正操作防止プログラムに関する。
【背景技術】
【０００２】
特許文献１には、車両内に設けられたクレードル（ｃｒａｄｌｅ）から、携帯端末装置が不正に取り外されたときに、携帯端末装置の入力操作部からの入力信号を無効とする携帯端末装置が開示されている。キーが車両のキー差込み部に差し込まれていない状態において、携帯端末装置がクレードルから取り外され、その後に所定の時間が経過したときに、携帯端末装置が不正に取り外されたと判断される。この不正な取り外しの場合には、予め定められたパスワード以外の入力信号は無効にされる。このため、正規の車両ユーザは、携帯端末装置の入力操作部からパスワードを入力して、入力操作の無効状態を解除することができる。
【特許文献１】特開２００４−１４０５４８号公報
【発明の開示】
【発明が解決しようとする課題】
【０００３】
しかしながら、特許文献１に記載された携帯端末装置は、携帯電話機から構成されていることから、正規の車両ユーザが個人的な情報を携帯電話機のメモリー部に記憶していることがある。この場合、正規の車両ユーザ以外の者でも、車両のキーを持っていれば、キーを車両のキー差込み部に差し込んだ状態で携帯電話機をクレードルから取り外して、上記メモリー部に記憶された個人的な情報に無断でアクセスすることができる。すなわち、車両のキーを持っている者ならば、だれでも携帯電話機のメモリー部に記憶された個人的な情報など機密情報を無断で見ることができる。このため、特許文献１に記載の携帯端末装置は、携帯端末装置への不正アクセスを完全に防止することはできず、依然として問題が残されていた。
【０００４】
本発明は、上述した問題点を解決するためになされたものである。本発明の目的は、携帯端末装置がその設置装置から取り外される際に、その携帯端末装置を取り外すユーザが正規のユーザか否かを認証し、正規のユーザでないときに携帯端末装置の操作を制限する不正操作防止システムおよび携帯端末装置などを提供することである。
【課題を解決するための手段】
【０００５】
この目的を達成するために、操作可能な入力操作部を有する携帯端末装置と、前記携帯端末装置が着脱可能に装着される装着装置と、情報を入力する情報入力部と、特定の認証情報を登録する情報登録部と、前記情報入力部により入力された情報が前記登録された特定の認証情報と一致したとき認証できたとする認証部と、前記携帯端末装置が前記装着装置に対して装着された装着状態かまたは取り外された取外し状態かを検出する検出部と、前記入力操作部の操作に従って前記携帯端末装置が処理動作を実行することを許可する許可モードと、前記入力操作部の操作に従って前記携帯端末装置が処理動作を実行することを制限する制限モードとのいずれかに、前記携帯端末装置の動作モードを設定するモード設定部と、前記認証部により認証されたときに、前記モード設定部に前記許可モードを設定させ、前記認証部により認証されず、かつ、前記検出部により前記携帯端末装置の取外し状態が検出されたときに、前記モード設定部に前記制限モードを設定させる制御部と、を備えたことを特徴としている。
【０００６】
請求項２記載の発明は、前記認証部によりに認証されずに前記検出部により前記携帯端末装置の取外し状態が検出されると直ちに、前記制御部が前記モード設定部に前記制限モードを設定させることを特徴としている。
【０００７】
請求項３記載の発明は、前記情報入力部は、前記装着装置に備えられた第１入力部と、前記携帯端末装置に備えられた第２入力部とから構成され、前記認証部は、前記第１入力部により入力された第１入力情報と前記第２入力部により入力された第２入力情報との組み合わせが前記登録された特定の認証情報と一致したとき認証できたとすることを特徴としている。
【０００８】
請求項４記載の発明は、操作可能な入力操作部を有し、装着装置に対して着脱可能に装着される携帯端末装置であって、情報を入力する情報入力部と、特定の認証情報を登録する情報登録部と、前記情報入力部により入力された入力情報が前記登録された特定の認証情報と一致したとき認証できたとする認証部と、前記携帯端末装置が前記装着装置に対して装着された装着状態かまたは取り外された取外し状態かを検出する検出部と、前記入力操作部の操作に従って前記携帯端末装置が処理動作を実行することを許可する許可モードと、前記入力操作部の操作に従って前記携帯端末装置が処理動作を実行することを制限する制限モードとのいずれかに、前記携帯端末装置の動作モードを設定するモード設定部と、前記認証部により認証されたときに、前記モード設定部に前記許可モードを設定させ、前記認証部により認証されず、かつ、前記検出部により前記携帯端末装置の取外し状態が検出されたときに、前記モード設定部に前記制限モードを設定させる制御部と、を備えることを特徴とする不正防止機能を備えた携帯端末装置である。
【０００９】
請求項５記載の発明は、前記携帯端末装置の入力操作部は、複数のキーを有し、前記情報入力部は、前記複数のキーの中の少なくとも１つの特定のキーから構成されることを特徴とする不正防止機能を備えた携帯端末装置である。
【００１０】
請求項６記載の発明は、第１入力情報を入力するための第１入力部とその第１入力情報を通信により携帯端末装置へ送信する送信部とを備えた装着装置に対して着脱可能に装着され、操作可能な入力操作部を有する携帯端末装置であって、第２入力情報を入力する第２入力部と、前記装着装置の送信部から送信された第１入力情報を受信する受信部と、特定の認証情報を登録する情報登録部と、前記受信部により受信された第１入力情報と前記第２入力部により入力された第２入力情報とが組み合わされた入力情報が前記登録された特定の認証情報と一致したとき認証できたとする認証部と、前記携帯端末装置が前記装着装置に対して装着された装着状態かまたは取り外された取外し状態かを検出する検出部と、前記入力操作部の操作に従って前記携帯端末装置が処理動作を実行することを許可する許可モードと、前記入力操作部の操作に従って前記携帯端末装置が処理動作を実行することを制限する制限モードとのいずれかに、前記携帯端末装置の動作モードを設定するモード設定部と、前記認証部により認証されたときに、前記モード設定部に前記許可モードを設定させ、前記認証部により認証されず、かつ、前記検出部により前記携帯端末装置の取外し状態が検出されたときに、前記モード設定部に前記制限モードを設定させる制御部と、を備えることを特徴とする不正防止機能を備えた携帯端末装置である。
【００１１】
請求項７記載の発明は、前記携帯端末装置の入力操作部は、複数のキーを有し、前記第１入力部は、前記複数のキーの中の少なくとも１つの特定のキーから構成されることを特徴とする不正防止機能を備えた携帯端末装置である。
【００１２】
請求項８記載の発明は、情報を入力する情報入力部とその入力情報を通信により携帯端末装置へ送信する送信部とを備えた装着装置に対して着脱可能に装着され、操作可能な入力操作部を有する携帯端末装置であって、前記装着装置の送信部から送信された入力情報を受信する受信部と、特定の認証情報を登録する情報登録部と、前記受信部により受信された入力情報が前記登録された特定の認証情報と一致したとき認証できたとする認証部と、前記携帯端末装置が前記装着装置に対して装着された装着状態かまたは取り外された取外し状態かを検出する検出部と、前記入力操作部の操作に従って前記携帯端末装置が処理動作を実行することを許可する許可モードと、前記入力操作部の操作に従って前記携帯端末装置が処理動作を実行することを制限する制限モードとのいずれかに、前記携帯端末装置の動作モードを設定するモード設定部と、前記認証部により認証されたときに、前記モード設定部に前記許可モードを設定させ、前記認証部により認証されず、かつ、前記検出部により前記携帯端末装置の取外し状態が検出されたときに、前記モード設定部に前記制限モードを設定させる制御部と、を備えることを特徴する不正防止機能を備えた携帯端末装置である。
【００１３】
請求項９記載の発明は、前記認証部によりに認証されずに前記検出部により前記携帯端末装置の取外し状態が検出されると直ちに、前記制御部が前記モード設定部に前記制限モードを設定させることを特徴とする不正防止機能を備えた携帯端末装置である。
【００１４】
請求項１０記載の発明は、種々の情報を記憶する記憶部と、前記入力操作部の操作に従って前記記憶部に記憶された情報を表示する表示部とを備え、前記モード設定部は、前記記憶部により記憶された種々の情報中の少なくとも一部の情報が前記表示部により表示されることを制限する表示制限モードを前記制限モードとして設定し得ることを特徴とする不正防止機能を備えた携帯端末装置である。
【００１５】
請求項１１記載の発明は、前記記憶部により記憶された情報が機密情報であるか否かを判別するための判別情報を付与する判別情報付与部と、前記記憶部により記憶された情報が機密情報であるか否かを、前記判別情報付与部により付与された判別情報に基づいて判別する機密情報判別部とを備え、前記モード設定部は、前記機密情報判別部により機密情報であると判別された場合、前記機密情報が前記表示部により表示されることを制限する表示制限モードとして設定し得ることを特徴とする不正防止機能を備えた携帯端末装置である。
【００１６】
請求項１２記載の発明は、種々の情報を記憶する記憶部と、前記入力操作部の操作に従って前記記憶部により記憶される種々の情報を表示する表示部と、前記記憶部に記憶される情報を暗号化する暗号化処理部とを備え、前記モード設定部は、前記記憶部により記憶された種々の情報中の少なくとも一部の情報が前記暗号化処理部により暗号化される暗号化モードを前記制限モードとして設定し得ることを特徴とする不正防止機能を備えた携帯端末装置である。
【００１７】
請求項１３記載の発明は、種々の情報を記憶する記憶部と、前記入力操作部の操作に従って前記記憶部に記憶された情報を表示するために、情報表示指令に従って駆動電圧が供給された時に表示情報を書き換え、駆動電圧の供給が停止された時に表示情報を維持する不揮発性表示部とを備え、前記モード設定部が、前記不揮発性表示部に駆動電圧の供給を停止する停止モードを含む前記制限モードを設定し得ることを特徴とする不正防止機能を備えた携帯端末装置である。
【００１８】
請求項１４記載の発明は、前記制御部は、前記認証部により認証されず、かつ前記検出部により前記携帯端末装置の取外し状態が検出されたときに、前記携帯端末装置が前記制限モードに設定されることを前記不揮発性表示部に表示させ、その後に前記不揮発性表示部に駆動電圧を供給しない停止モードを前記モード設定部に設定させることを特徴とする不正防止機能を備えた携帯端末装置である。
【００１９】
請求項１５記載の発明は、前記認証部により認証された時からの経過時間を計測する第１時間計測部を備え、前記第１時間計測部により所定の第１時間が計測されるまでの間に、前記検出部により前記携帯端末装置の取外し状態が検出されなかったときに、前記第１時間計測部により所定の第１時間が計測された後に、前記認証部は、新たに入力された前記入力情報が前記登録された特定の認証情報と一致したか再度前記認証動作を行うことを特徴とする不正防止機能を備えた携帯端末装置である。
【００２０】
請求項１６記載の発明は、前記検出部により前記携帯端末装置の取外し状態から装着状態への変化が検出されてからの経過時間を計測する第２時間計測部を備え、前記第２時間計測部により計測された経過時間が所定の第２時間以内であり、かつ前記検出部により前記携帯端末装置の取り外しが検出されたときに、前記モード設定部に前記許可モードを設定させ、前記第２時間計測部により所定の第２時間が計測されたときに、前記認証部は、新たに入力された前記入力情報が前記登録された特定の認証情報と一致したか再度前記認証動作を行うことを特徴とする不正防止機能を備えた携帯端末装置である。
【００２１】
請求項１７記載の発明は、種々の情報を記憶する記憶部と、前記入力操作部の操作に従って前記記憶部に記憶された情報を表示するために、情報表示指令に従って駆動電圧が供給された時に表示情報を書き換え、駆動電圧の供給が停止された時に表示情報を維持する不揮発性表示部とを備え、前記制御部は、前記第２時間計測部により所定の第２時間が計測されるまでの間だけ、前記認証部が前記認証動作を行わないで前記モード設定部に前記許可モードを設定させることを前記不揮発性表示部に表示させ、その所定の第２時間の経過後に前記不揮発性表示部への駆動電圧の供給を停止する停止モードを含む前記制限モードを前記モード設定部に設定させることを特徴とする不正防止機能を備えた携帯端末装置である。
【００２２】
請求項１８記載の発明は、請求項６に記載の不正操作防止機能を備えた携帯端末装置が着脱可能に装着される装着装置であって、第１入力情報を入力する第１入力部と、
前記第１入力部から入力された第１入力情報を通信により前記携帯端末装置に送信する送信部と、を備えることを特徴とする装着装置である。
【００２３】
請求項１９記載の発明は、請求項８に記載の不正操作防止機能を備えた携帯端末装置が着脱可能に装着される装着装置であって、情報を入力する情報入力部と、前記情報入力部から入力された入力情報を通信により前記携帯端末装置に送信する送信部と、を備えることを特徴とする装着装置である。
【００２４】
請求項２０記載の発明は、特定の認証情報を登録する情報登録ステップと、情報入力部により入力された情報が前記登録された特定の認証情報と一致したとき認証できたとする認証ステップと、操作可能な入力操作部を有する携帯端末装置が装着装置に対して装着された装着状態かまたは取り外された取外し状態かを検出する検出ステップと、前記認証ステップにより認証されたときに、前記入力操作部の操作に従って前記携帯端末装置が処理動作を実行することを許可する許可ステップと、前記認証ステップにより認証されず、かつ、前記携帯端末装置の取外し状態が検出されたときに、前記入力操作部の操作に従って前記携帯端末装置が処理動作を実行することを制限する制限ステップと、を備えたことを特徴とする不正操作防止方法である。
【００２５】
請求項２１記載の発明は、特定の認証情報を登録する情報登録ステップと、情報入力部により入力された情報が前記登録された特定の認証情報と一致したときに認証できたとする認証ステップと、操作可能な入力操作部を有する携帯端末装置が装着装置に対して装着された装着状態かまたは取り外された取外し状態かを検出する検出ステップと、前記認証ステップにより認証されたときに、前記入力操作部の操作に従って前記携帯端末装置が処理動作を実行することを許可する許可ステップと、前記認証ステップにより認証されず、かつ、前記携帯端末装置の取外し状態が検出されたときに、前記入力操作部の操作に従って前記携帯端末装置が処理動作を実行することを制限する制限ステップと、をコンピュータに実現させる不正操作防止プログラムである。
【発明の効果】
【００２６】
請求項１記載の発明によれば、情報登録部により登録された特定の認証情報と、装着装置に対する携帯端末装置の装着または取外しの状態に基づいて、携帯端末装置の動作モードを許可モードと制限モードとに切り替えることができる。認証部により認証されずに、携帯端末装置が装着装置から取り外された場合、不正な取り外しであると判断される。不正な取り外しの場合、携帯端末装置の入力操作に従う処理動作に制限がかけられることで、携帯端末装置が不正に使用されることを防止することができる。
【００２７】
請求項２記載の発明によれば、認証部により認証されずに携帯端末装置が装着装置から取り外されると直ちに、制限モードに切り替えることができる。そのため、不正な操作を事前に検出することができる。取り外し前に不正な操作そのものが検出されることで、不正な操作に対して迅速に対応することができる。
【００２８】
請求項３記載の発明によれば、装着装置に第１入力部が、携帯端末装置に第２入力部が備えられている。情報入力部として、第１入力部と第２入力部とが備えられることで、第１入力部と第２入力部との入力情報の組み合わせにより、特定の認証情報を構成することができる。認証情報の組み合わせ数が多くなることで、複雑な認証情報の設定が可能になる。特定の認証情報が容易に他人に知られることを防止することができる。
【００２９】
請求項４記載の発明によれば、情報入力部と情報登録部と認証部と検出部とモード設定部と制御部とが携帯端末装置に備えられている。携帯端末装置に不正操作防止ための上記構成が備えられることで、装着装置は携帯端末装置と装着可能な構成を備えれば良い。そのため、装着装置の小型化および軽量化を確保することができる。また、不正操作防止機能を実行する際に、携帯端末装置は装着装置と通信などを通して情報の送受信を行う必要がなく、携帯端末装置自体で不正操作防止機能を実現するが可能になる。
【００３０】
請求項５記載の発明によれば、情報入力部は、携帯端末装置に備えられている複数のキーの中の少なくとも１つの特定のキーから構成される。情報入力部として、携帯端末装置に備えられた特定のキーが用いられる。そのため、新たな情報入力部が備えられなくても良い。
【００３１】
請求項６記載の発明によれば、装着装置に第１入力部が、携帯端末装置に第２入力部が情報入力部として備えられている。また、第２入力部と情報登録部と認証部と検出部とモード設定部と制御部とが携帯端末装置に備えられている。携帯端末装置に上記構成が備えられることで、装着装置は第１入力部と送信部とが備えられれば良い。そのため、装着装置の小型化および軽量化を確保することができる。また、情報入力部として、第１入力部と第２入力部とが備えられることで、第１入力部と第２入力部との入力情報の組み合わせにより、特定の認証情報を構成することができる。認証情報の組み合わせ数が多くなることで、複雑な認証情報の設定が可能になる。特定の認証情報が容易に他人に知られることを防止することができる。
【００３２】
請求項７記載の発明によれば、第１入力部は、携帯端末装置に備えられている複数のキーの中の少なくとも１つの特定のキーから構成される。第１入力部として、携帯端末装置に備えられた特定のキーが用いられる。そのため、新たな情報入力部が備えられなくても良い。
【００３３】
請求項８記載の発明によれば、情報入力部とその入力情報を通信により携帯端末に送信する送信部とが装着装置に備えられている。装着装置に不正操作防止ための上記構成が備えられることで、携帯端末装置の不正使用を防止するために必要な構成が少なくなる。そのため、携帯端末装置の小型化および軽量化を確保することができる。
【００３４】
請求項９記載の発明によれば、認証部により認証されずに携帯端末装置が装着装置から取り外されると直ちに、制限モードに切り替えることができる。そのため、不正な操作を事前に検出することができる。取り外し前に不正な操作そのものが検出されることで、不正な操作に対して迅速に対応することができる。
【００３５】
請求項１０記載の発明によれば、モード設定部により、携帯端末装置の動作モードが表示制限モードに設定される。この表示制限モードにおいて、携帯端末装置の表示部により表示される表示情報が制限される。特定のユーザのみが、制限された情報を携帯端末装置により閲覧することができる。特定のユーザにのみ閲覧することが許可されている表示情報が、不正に閲覧されない。
【００３６】
請求項１１記載の発明によれば、モード設定部により設定された表示制限モードにおいて、特定のユーザのみが、機密情報を携帯端末装置により閲覧することができる。特定のユーザ以外が機密情報を閲覧することができない。そのため、機密情報を保護することができる。
【００３７】
請求項１２記載の発明によれば、モード設定部により設定された暗号化モードにおいて、記憶部により記憶される情報の少なくとも一部が暗号化される。記憶部により記憶される情報の少なくとも一部が暗号化されることで、携帯端末装置の記憶部から情報が不正に取り出された場合、その情報が閲覧されることを防ぐことができる。
【００３８】
請求項１３記載の発明によれば、表示部として、情報表示指令に従って駆動電圧が供給された時に表示情報を書き換え、駆動電圧の供給が停止された時に表示情報を維持する不揮発性表示部が用いられる。携帯端末装置の動作モードが制限モードに切り替えられた場合、不揮発性表示部への駆動電圧の供給が停止される。駆動電圧の供給が停止されることで、前記不揮発性表示部により現在表示されている情報以外の表示情報に切り替えることができなくなる。すなわち、携帯端末装置が装着装置から取り外される直前に不揮発性表示部により表示されていた直前表示情報以外の表示情報が閲覧できない。そのため、携帯端末装置により、不正に表示情報が閲覧されることを防ぐことができる。また、制限モード時の携帯端末装置の消費電力を抑えることができる。不正に使用されている間、無駄に電力が消費されない。
【００３９】
請求項１４記載の発明によれば、表示部として、情報表示指令に従って駆動電圧が供給された時に表示情報を書き換え、駆動電圧の供給が停止された時に表示情報を維持する不揮発性表示部が用いられる。携帯端末装置の動作モードが制限モードに切り替えられた場合、携帯端末装置が制限モードに設定されたことが、不揮発性表示部により表示される。その後、不揮発性表示部への駆動電圧の供給が停止される。駆動電圧供給の停止時に、前記不揮発性表示部に制限モードに関する表示情報、例えば、制限モードから許可モードに設定する方法などの表示情報が維持されることで、不特定のユーザが無駄に携帯端末装置を操作することを未然に防止でき、制限モード時の消費電力を抑えることができる。そのため、不正に使用されている間、無駄に携帯端末装置の電力が消費されない。
【００４０】
請求項１５記載の発明によれば、第１時間計測部は、認証部により認証された時からの経過時間を計測する。第１時間計測部により計測された時間が所定の第１時間経過した場合、認証部が、新たに入力された前記入力情報が前記登録された特定の認証情報と一致したかを再度認証する。認証部により認証された後に、携帯端末装置が装着装置に装着されたままの状態である場合、所定の第１時間経過した後に認証部が再度認証する。このため、入力情報が特定の認証情報と一致すると認証されてから所定の第１時間内に、ユーザが携帯端末装置を取り外さなければ、その使用が制限されることから、携帯端末装置が不正に使用されるのを防止することができる。
【００４１】
請求項１６記載の発明によれば、第２時間計測部により、携帯端末装置が装着装置に装着されてからの経過時間が計測される。第２時間計測部により所定の第２時間が計測されるまでの間、認証部により認証が行われない。このため、ユーザが、取り外して使用していた携帯端末装置を一時的に装着装置に装着した場合、再び装着装置から取り外す際に認証を行う必要がないため、認証を無駄に行わなくてよく、また携帯端末装置の使い勝手が良くなる。
【００４２】
請求項１７記載の発明によれば、表示部として、情報表示指令に従って駆動電圧が供給された時に表示情報を書き換え、駆動電圧の供給が停止された時に表示情報を維持する不揮発性表示部が用いられる。第２時間測定部により、携帯端末装置が装着装置に装着されてからの経過時間が測定される。第２時間測定部により所定の時間が計測されるまでの間、認証部により認証が行われないことに関する表示情報が不揮発性表示部により表示される。その所定の時間経過後、不揮発性表示部への駆動電圧の供給が停止される。所定の時間が計測されるまでの間だけ、認証部により認証が行われないことに関する表示情報が、前記不揮発性表示部により維持される。ユーザは、所定の時間が経過した後に、認証部により認証が行われることを不揮発性表示部により表示される表示情報の内容から把握することができる。また、不揮発性表示部により表示情報が表示されていることから、ユーザが無駄に携帯端末装置を操作することを未然に防止すると共に、不揮発性表示部は駆動電圧の停止状態で表示情報を維持することから、携帯端末装置の消費電力を抑えることができ、無駄に電力が消費されない。
【００４３】
請求項１８記載の発明によれば、装着装置が、少なくとも第１入力部と送信部とから構成されるため、装着装置に備えられた第１入力部から入力された第１入力情報を、前記送信部により携帯端末装置へ送信することができる。装着装置の第１入力部は携帯端末装置の第２入力部からの入力情報と組み合わされる入力情報を入力することから、認証情報の組み合わせ数が多くなり、複雑な認証情報の設定が可能となる。
【００４４】
請求項１９記載の発明によれば、装着装置が、少なくとも第１入力部と送信部とから構成されるため、装着装置に備えられた第１入力部から入力された第１入力情報を、前記送信部により携帯端末装置へ送信することができる。装着装置が不正操作防止機能を達成する構成の一部を備えることにより携帯端末装置の小型化および軽量化に寄与することができる。
【００４５】
請求項２０と請求項２１記載の発明によれば、情報登録ステップにより登録された特定の認証情報と、装着装置に対する携帯端末装置の装着または取り外しの状態に基づいて、携帯端末装置の動作モードを許可モードと制限モードとに切り替えることができる。認証ステップにより認証されずに、携帯端末装置が装着装置から取り外された場合、不正な取り外しであると判断される。不正な取り外しの場合、携帯端末装置の入力操作に従う処理動作に制限がかけられることで、携帯端末装置が不正に使用されることを防止することができる。
【発明を実施するための最良の形態】
【００４６】
［第１の実施形態］
以下、表示指令に従って表示情報を表示することが可能な閲覧端末装置と、閲覧端末装置が着脱可能に装着されるクレードルとの組み合わせに本発明を適用した第１の実施形態について図面を参照して説明する。
【００４７】
図１と図２とは、本発明を適用した第１の実施形態の閲覧端末装置１とクレードル１０１との概念的構成を示す。図１は、第１の実施形態の閲覧端末装置１がクレードル１０１から取り外されている状態の外観図を示す。図２は、第１の実施形態の閲覧端末装置１がクレードル１０１に装着されている状態の外観図を示す。
【００４８】
第１の実施形態の閲覧端末装置１は、携帯可能な構成であり、略直方体の形状である。第１の実施形態の閲覧端末装置１には、電気泳動表示部４と、５つの操作キー１４１〜１４５と、６つの静電センサ１５１〜１５６と、コネクタ１７１とが備えられている。操作キー１４１〜１４５により、閲覧端末装置１が操作される。また、第１の実施形態では、操作キー１４１〜１４５により、閲覧端末装置１に記憶されている認証情報と比較される入力情報が入力される。操作キー１４１〜１４５と同様に、静電センサ１５１〜１５６により、閲覧端末装置１に記憶されている認証情報と比較を行うための入力情報が入力される。コネクタ１７１は、閲覧端末装置１とクレードル１０１とを電気的に接続するために備えられている。第１の実施形態では、操作キー１４３が長押しされることで、閲覧端末装置１の図１１を用いて後述する不正操作防止処理の解除操作が行われる。操作キー１４１〜１４５を備える閲覧端末装置１は、本発明の携帯端末装置の一例である。また、閲覧端末装置１に備えられた操作キー１４１〜１４５と静電センサ１５１〜１５６とは、本発明の情報入力部と第２入力部との一例である。
【００４９】
第１の実施形態のクレードル１０１は、４つの静電センサ１５７〜１６０と、コネクタ１７２とが備えられている。静電センサ１５７〜１６０により、閲覧端末装置１に記憶されている認証情報と比較を行うための入力情報が入力される。コネクタ１７２は、閲覧端末装置１とクレードル１０１とを電気的に接続するために備えられる。図２は閲覧端末装置１がクレードル１０１に装着された図である。図２に示す閲覧端末装置１がクレードル１０１に装着された状態では、コネクタ１７１とコネクタ１７２とが接続されている。クレードル１０１が、家庭やオフィスに備えられているコンセントを介して商用電源などの外部電源と接続可能な構成を有している場合、コネクタ１７１とコネクタ１７２との接続により、クレードル１０１を介して閲覧端末装置１に備えられているシステム電源３０が充電される。システム電源３０は充電可能な電源である。そのため、閲覧端末装置１はクレードル１０１から取り外されて、携帯することができる。また、クレードル１０１がインターネットと接続及び通信することが可能な構成を有している場合、コネクタ１７１とコネクタ１７２とが接続されることで、クレードル１０１によりインターネット上のデータが閲覧端末装置１へ送信される。閲覧端末装置１が装着可能なクレードル１０１は、本発明の装着装置の一例である。また、クレードル１０１に備えられた静電センサ１５７〜１６０は、本発明の情報入力部と第１入力部との一例である。
【００５０】
図３は、電気泳動表示部４の正面図を示す。図４は、図３に示す電気泳動表示部４のＡ−Ａ´線に従う矢視方向断面図である。図５は、図３に示す電気泳動表示部４のＢ−Ｂ´線に従う矢視方向断面図である。以下、電気泳動表示部４について図３から図５を参照して説明する。なお、説明の便宜上、図３から図５では、電気泳動表示部４の画素数が５×４の２０個である例を用いて説明する。実際には、必要に応じた画素数が設けられる。電気泳動表示部４は、本発明の表示部と不揮発性表示部との一例である。
【００５１】
図３に示されるように電気泳動表示部４の表示面には、表示情報を表示するための画素２１が備えられている。画素２１に対して電界を印加するために、画素２１と同じ位置には電極が配置されている。画素２１が配置されている周辺部は、上部電極保護膜６１により覆われている。上部電極保護膜６１は、ポリイミド，ポリエチレンテレフタレート，ガラスなどの高い透明性を発揮可能な材料により形成される。画素２１が備えられていない電気泳動表示部４の周縁部は、ユーザが視認できないように隠蔽するためのマスク部４０により囲まれている。
【００５２】
第１の実施形態の閲覧端末装置１では、図４及び図５に示す矢印の方向をそれぞれ上方向、下方向とする。図４及び図５に示すように、電気泳動表示部４には、マスク部４０と下部基板５０と上部基板６０と表示部７０とスペーサー７１とが備えられている。下部基板５０は、電気泳動表示部４の下面部分に備えられている。上部基板６０は、表示部７０を挟んで下部基板５０に対して上方向に対向配置される位置に配置されている。表示部７０は、下部基板５０と上部基板６０との間に配置されている。
【００５３】
スペーサー７１は、下部基板５０と上部基板６０との間に配置され、両基板により支持されている。スペーサー７１は、下部基板５０上を格子状に均等に分割して多数の画素空間３５を形成するように配置される。スペーサー７１は、可撓性の板状部材から構成される。スペーサー７１の材料として、ポリイミドまたはポリエチレンテレフタレートなどの合成樹脂が用いられる。第１の実施形態では、ポリエチレンテレフタレートが用いられる。
【００５４】
表示部７０は、各画素空間３５に帯電粒子３３ａと帯電粒子３３ｂと分散媒３４とが充填されて構成される。具体的には、下部基板５０上でスペーサー７１により格子状に分割された多数の画素空間３５の各々の中に、帯電粒子３３ａと帯電粒子３３ｂと分散媒３４とが充填される。帯電粒子３３ａと帯電粒子３３ｂと分散媒３４とが充填された各画素空間３５により、各画素２１が形成される。帯電粒子３３ａと帯電粒子３３ｂとしては、分散媒３４中において帯電可能な材料が用いられる。帯電粒子３３ａと帯電粒子３３ｂとの材料として、有機化合物や無機化合物からなる顔料及び染料、もしくは顔料及び染料を合成樹脂で包んだものが用いられる。第１の実施形態では、帯電粒子３３ａとして、スチレン樹脂と二酸化チタンとの混合物が材料として用いられる。帯電粒子３３ａとして、平均粒子径が５μｍのもの（７ｗｔ％）であって、粒子中の二酸化チタンの量が４０ｗｔ％のものが使用される。帯電粒子３３ｂとして、スチレン樹脂とカーボンブラックとの混合物が用いられる。帯電粒子３３ｂとして、平均粒子径が５μｍのもの（１０ｗｔ％）であって、粒子中のカーボンブラックの量が３０ｗｔ％のものが使用される。そのため、帯電粒子３３ａは白色の色調であり、帯電粒子３３ｂは黒色の色調である。また、帯電粒子３３ａと帯電粒子３３ｂとは、それぞれが正あるいは負に相異となるように帯電している。第１の実施形態では、帯電粒子３３ａが負に、帯電粒子３３ｂが正に帯電している。
【００５５】
分散媒３４として、高絶縁性で、且つ、粘性の低いアルコール類または、炭化水素、またはシリコーンオイルが用いられる。第１の実施形態では、分散媒３４として、パラフィン系溶剤であるエクソンモービル社製Ｉｓｏｐａｒ（７３ｗｔ％）が用いられる。なお、分散媒３４には、添加剤としてエタノール（１０ｗｔ％）が加えられている。
【００５６】
下部基板５０は、下部電極保護膜５１と下部電極５２と筐体支持部５３とを備える。
【００５７】
下部電極保護膜５１は、下部電極５２の上面側に絶縁材料を塗布して形成された絶縁膜である。下部電極保護膜５１は、ポリエチレンテレフタレートやシリカ等の樹脂フィルムやガラスなどの無機材料等、高い絶縁性効果のある材料により形成される。第１の実施形態では、下部電極保護膜５１として、ポリエチレンテレフタレートが用いられる。
【００５８】
下部電極５２は、画素２１に対して電圧を印加するために備えられている。画素２１それぞれに対して一定の電圧が印加されるために、下部電極５２は複数の電極が備えられた共通の電気導電体として配置されている。
【００５９】
筐体支持部材５３は、下部電極５２の下面側に備えられる。筐体支持部５３は、閲覧端末装置１そのものを支持する。
【００６０】
上部基板６０は、上部電極保護膜６１と、上部電極６２と、表示層６３とを備える。また、上部基板６０の上面（下部基板５０と対向しない面）には、マスク部４０が備えられている。
【００６１】
上部電極保護膜６１は、上部電極６２の下面側に絶縁材料を塗布することにより形成された絶縁膜である。上部電極保護膜６１は、ポリイミド、ポリエチレンテレフタレート、ガラスなどの透明性の高い材料により形成される。第１の実施形態では、上部電極保護膜の材料としては、ポリエチレンテレフタレートにより形成されたプラスチック基板（樹脂フィルム）が用いられる。
【００６２】
上部電極６２は、下部電極５２との間に電界を生成させるための電極である。上部電極６２は、画素２１それぞれに対して一定の電圧が印加されるために、下部電極５２と平行に配置されている。上部電極６２は、透明性の高い材料により形成される。第１の実施形態では、上部電極６２として、酸化インジウムすず（ＩＴＯ）により形成された透明電極が用いられる。
【００６３】
表示層６３は透明な部材により形成される。表示層６３は上部電極６２の上面側に備えられている。表示層６３は表示画面として機能する。表示層６３としてはガラス基板が用いられる。上部基板６０が、上述した透明性の高い材料により形成されることで、ユーザが上部基板６０の上方向から表示部７０を視認することができる。
【００６４】
マスク部４０は、画素２１が存在しない表示部７０の周縁部をユーザが視認できないよう隠蔽するために備えられている。マスク部４０は、上部基板６０の四辺に沿って、一定幅で備えられている。マスク部４０としては、ユーザが表示部７０を視認できるように、図３に示す四角の型の形状の板状部材が用いられる。マスク部４０として、ポリエチレンテレフタレートなどの合成樹脂を着色した部材が用いられる。また、インクなどにより、表示層６３の表面に直接マスク部４０と同等の効果のあるインク層が形成されても良い。第１の実施形態では、マスク部４０として、ポリエチレンテレフタレートが用いられる。
【００６５】
図６は、第１の実施形態の閲覧端末装置１の電気的構成を示すブロック図である。図６に示すように、第１の実施形態の閲覧端末装置１には、閲覧端末装置１を制御するＣＰＵ２が備えられている。ＣＰＵ２には、表示制御部３と、メモリーカードインターフェース（Ｉ／Ｆ）５と、ＲＯＭ９と、ＲＡＭ１０と、ＥＥＰＲＯＭ１１と、電源制御部１２と、操作キー１４１〜１４５と、静電センサ１５１〜１５６と、クレードル通信部１５と、装着検出部１６とがそれぞれ電気的に接続されている。ＣＰＵ２は、メモリーカード６及びＲＯＭ９及びＲＡＭ１０及びＥＥＰＲＯＭ１１と共に、第１の実施形態の閲覧端末装置１の動作を制御処理するコンピュータを構成している。ＣＰＵ２とメモリーカード６とＲＯＭ９とＲＡＭ１０とＥＥＰＲＯＭ１１とからなるコンピュータは、本発明のモード設定部と、制御部と、認証部と、判別情報付与部と、機密情報判別部と、第１時間計測部と、第２時間計測部との一例である。電気泳動表示部４により表示情報が表示されるため、表示制御部３は電気泳動表示部４により表示される画素情報に基づいて、下電極５２と上電極６２とに電圧を印加する。静電センサ１５１〜１５６は、ユーザが設置領域に接触するときに、その接触に応じて接触情報を入力する。クレードル通信部１５と装着検出部１６とは、クレードルインターフェース（Ｉ／Ｆ）１７と接続されている。クレードルインターフェース１７は、閲覧端末装置１とクレードル１０１とを接続するインターフェースである。第１の実施形態では、クレードルインターフェース１７として、コネクタ１７１が用いられている。メモリーカード６とＲＯＭ９とＲＡＭ１０とＥＥＰＲＯＭ１１とから構成される閲覧端末装置１のメモリーは、本発明の記憶部の一例である。
【００６６】
第１の実施形態のクレードル１０１に備えられる端末インターフェース（Ｉ／Ｆ）１９は、静電センサ１５７〜１６０と電源インターフェース（Ｉ／Ｆ）２２と、通信インターフェース（Ｉ／Ｆ）２３と接続している。コネクタ１７１とコネクタ１７２とが接続されたことにより、端末インターフェース（Ｉ／Ｆ）１９は、閲覧端末装置１に備えられているクレードル（Ｉ／Ｆ）１７と接続される。第１の実施形態では、端末インターフェース１９として、コネクタ１７２が用いられている。閲覧端末装置１に備えられるコネクタ１７１と、クレードル１０１に備えられるコネクタ１７２とが接続されることで、装着検出部１６により、閲覧端末装置１がクレードルに装着されたことが検出される。詳細な説明は、図８を用いて後述する。クレードル１０１に備えられている静電センサ１５７〜１６０は、閲覧端末装置１に備えられている静電センサ１５１〜１５６と同じ機能を有する。コネクタ１７１とコネクタ１７２とが接続されることで、静電センサ１５７〜１６０により入力された接触情報を閲覧端末装置１へ送信することが可能となる。電源インターフェース２２は、家庭やオフィスに備えられている商用電源などの外部電源とクレードルとを接続するためのインターフェースである。通信インターフェース２３は、インターネットからの情報を通信するためのインターフェースである。端末インターフェース１９は、本発明の送信部の一例である。
【００６７】
ＲＯＭ９には、メイン動作プログラム９０１と、各種処理操作プログラム９０２と、不正操作防止処理プログラム９０３とが記憶されている。メイン動作プログラム９０１は、第１の実施形態の閲覧端末装置１を制御するためのプログラムである。各種処理操作プログラム９０２は、第１の実施形態の閲覧端末装置１の各種処理操作を行うプログラムである。不正操作防止処理プログラム９０３は、閲覧端末装置１が所定の条件において不正に使用されているときに、閲覧端末装置１の処理動作に制限をかけるためのプログラムである。
【００６８】
メモリーカードインターフェース５は、携帯型の外部メモリーであるメモリーカード６と接続するためのインターフェースである。メモリーカード６には、電気泳動表示部４に情報を表示するための表示情報６１０が記憶される。表示情報は、電気泳動表示部の各画素ごとに表示（黒）と非表示（白）とを指定するための画素情報から構成される。表示情報６１０は、複数のページにより構成されるファイルにより記憶されている。
【００６９】
ＲＡＭ１０は、公知のＲＡＭから構成される。ＲＡＭ１０は、前回表示データ１００１と現在表示データ１００２とページ展開データ１００３と入力情報１００４とを一時記憶する。入力情報１００４は、ユーザが操作キー１４１〜１４５または静電センサ１５１〜１６０を操作することにより入力された入力情報を一時記憶する。
【００７０】
ページ展開データ１００３は、表示情報６１０としてメモリーカード６に記憶されるテキスト及び画像及び図形等の表示情報と、それら座標情報とを含む。座標情報は、テキスト及び画像及び図形等の電気泳動表示部４における配置位置を示す情報である。
【００７１】
現在表示データ１００２は、ページ展開データ１００３に含まれている座標情報に基づいて、電気泳動表示部４を制御するための画素情報を含む。画素情報は、電気泳動表示部４の各画素ごとに表示（黒）と非表示（白）とを指定するための情報である。
【００７２】
前回表示データ１００１は、操作キー１４１〜１４５の操作により電気泳動表示部４の表示が新たに切り替えられる際、現在表示データ１００２により含まれている情報と同じ情報である。
【００７３】
ＥＥＰＲＯＭ１１は、システム電源３０から遮断された場合でも、記憶内容を保持する。ＥＥＰＲＯＭ１１は、認証情報１１０１と、表示中ファイル情報１１０２と、表示中ページ情報１１０３と、ユーザ設定情報１１０４とを保持する。
【００７４】
閲覧端末装置１に備えられた操作キー１４１〜１４５または静電センサ１５１〜１５６と、クレードル１０１に備えられた静電センサ１５７〜１６０とを用いて、各ユーザが操作する所定の操作手順が、認証情報１１０１としてＥＥＰＲＯＭ１１に記憶される。以下、説明の便宜上、閲覧端末装置１が認証情報を登録可能な状態に切り替えられたとき、ユーザ名「Ｂ」により、「操作キー１４４」および「操作キー１４２」がこの順序で操作される操作手順が入力された例を用いて説明する。上記の例の場合、認証情報１１０１として、ユーザ名が「Ｂ」と、操作手順が「操作キー１４４」、「操作キー１４２」と、ＥＥＰＲＯＭ１１に記憶される。図７は、認証情報１１０１がＥＥＰＲＯＭ１１に記憶されている記憶状態の一例を示す概念図である。図７においてユーザ名「Ａ」〜「Ｆ」は、閲覧端末装置１を使用するユーザ名を示している。ユーザ名「Ａ」〜「Ｆ」に対応する操作手順１から操作手順４は、認証情報１１０１として記憶された入力情報の入力順番を示している。図７に示すように、閲覧端末装置１に備えられた操作キー１４１〜１４５または静電センサ１５１〜１５６と、クレードル１０１に備えられた静電センサ１５７〜１６０とを用いて、入力された各ユーザの操作手順が認証情報１１０１としてＥＥＰＲＯＭ１１に記憶される。操作手順１から操作手順４の順にユーザにより入力情報が入力されるときに、入力情報がＥＥＰＲＯＭ１１に記憶されていた認証情報１１０１と一致したと判定される。第１の実施形態における閲覧端末装置１では、閲覧端末装置１に備えられている操作キー１４１〜操作キー１４５と静電センサ１５１〜１５６と、クレードル１０１に備えられている静電センサ１５６から１６０とのいずれかの操作または操作の組み合わせにより入力される入力情報が、認証情報１１０１と比較される入力情報である。図７におけるユーザ名「Ｅ」の操作手順１「静電センサ１６０＋操作キー１４３」は、操作手順１として、「静電センサ１６０」と「操作キー１４３」とが同時に入力されることを表している。例えば、ユーザ名が「Ｃ」の場合、「静電センサ１５３」、「操作キー１４４」、「操作キー１４２」、「静電センサ１５４」の順に入力情報が入力されると、まず、「静電センサ１５３」、「操作キー１４４」、「操作キー１４２」、「静電センサ１５４」の順に入力された入力情報が、入力情報１００４としてＲＡＭ１０に一時記憶される。入力情報１００４とＥＥＰＲＯＭ１１に記憶される認証情報１１０１とが比較されることで、ユーザ名「Ｃ」の認証情報と入力情報１００４とが一致したと判定される。図７に示す概念図では、認証情報１１０１として、操作手順１から操作手順４までが表示されているが、ユーザが４つの操作手順以外に任意の数の操作手順を登録することが可能である。また、図７におけるユーザ名「Ｂ」の認証情報のように、閲覧端末装置１に備えられている操作キー１４１〜１４５からの入力情報のみが用いられても良い。同様に、ユーザ名「Ａ」のように、認証情報としてクレードル１０１に備えられている静電センサ１５７〜１６０からの入力情報のみが用いられても良い。
【００７５】
表示ファイル情報１１０２としては、電気泳動表示部４により表示される表示情報６１０を示すファイル名が一時記憶されている。ファイル名は、電気泳動表示部４により現在表示されている表示情報が記憶されているファイル名である。
【００７６】
表示中ページ数情報１１０３として、電気泳動表示部４により表示されている表示情報のページ番号が記憶される。表示中ページ数情報１１０３は、電気泳動表示部４により現在表示されている表示情報のページ番号を表す。
【００７７】
ユーザ設定情報１１０４として、ユーザにより入力された入力情報１００４と一致した認証情報１１０１に対応するユーザ名が一時記憶される。図７に示すＥＥＰＲＯＭ１１に記憶された対応表に基づいて決定されたユーザ名が、ユーザ設定情報１１０４として記憶される。
【００７８】
電源制御部１２は、ＣＰＵ２とシステム電源スイッチ２０と操作キー１４１〜１４５とに電気的に接続されている。システム電源スイッチ２０の一端は、表示制御部３と電気泳動表示部４とメモリーカードインターフェース５とＲＯＭ９とＲＡＭ１０とＥＥＰＲＯＭ１１とにそれぞれ電力を供給する電源供給ブロック９９に電気的に接続されている。システム電源スイッチ２０により、システム電源３０と電源供給ブロック９９とが接続されることで、システム電源３０から表示制御部３と電気泳動表示部４とメモリーカードインターフェース５とＲＯＭ９とＲＡＭ１０とＥＥＰＲＯＭ１１とに電力が供給される。ＣＰＵ２と電源制御部１２とは、システム電源スイッチ２０によるシステム電源３０と電源供給ブロック９９との遮断及び接続とは独立して、システム電源３０から電力の供給を受けている。そのため、システム電源スイッチ２０によりシステム電源３０と電源供給ブロック９９とが接続されていない場合でも、ＣＰＵ２と電源制御部１２とへ、電力が供給される構成となっている。システム電源３０と電源供給ブロック９９とが接続されていない場合でも、ＣＰＵ２は操作キー１４１〜１４５の操作を受け付けることができる。電源制御部１２は、操作キー８１〜操作キー８４の操作信号を所定の時間受け付けなかったことに基づき、システム電源スイッチ２０により、システム電源３０と電源ブロック９９とを遮断する。また、電源制御部１２は、操作キー８１〜操作キー８４の操作信号を受け付けたことに基づき、システム電源スイッチ２０により、システム電源３０と電源ブロック９９とを接続する。
【００７９】
表示制御部３は、上電極６２と下電極５２とに対して、一時記憶されている現在表示データ１００２中の画素情報に基づいて電圧を印加する指令を送る。表示制御部３により、ある所定の大きさの電圧を下電極５２に印加する指令が送られる。「表示（黒）」と指定された画素の上電極６２には、下電極５２よりも小さな電圧を印加する指令が表示制御部３により送られる。また、非表示（白）と指定された画素の上電極６２には、下電極５２よりも大きな電圧を印加する指令が送られる。上電極６２が下電極５２より大きい電圧が印加されることで、負に帯電した白色の帯電粒子３３ａが、図４に示す表示層６３に向かって上方向に引き付けられる。一方、上電極６２が下電極５２より小さい電圧が印加されることで、正に帯電した黒色の帯電粒子３３ｂが、図４に示す表示層６３に向かって上方向に引き付けられる。正に帯電している黒色に着色された帯電粒子３３ｂが表示面に引き付けられることで、画像を表示することができる。表示制御部３により、画像を表示する指令が送られた後、電気泳動表示部４の上電極６２及び下電極５２への電圧の供給が停止された場合でも、分散媒３４の粘度及び鏡像力により帯電粒子３３ａ及び帯電粒子３３ｂの引き付け状態が維持される。帯電粒子３３ａ及び帯電粒子３３ｂが分散媒３４中で移動可能な逆方向の電界が印加されれば、帯電粒子３３ａ及び帯電粒子３３ｂは再び移動し、位置が逆転することで画像が書き換えられる。前回表示データ１００１としては、現在、電気泳動表示部４により表示されている画素情報が記憶されている。また、現在表示データ１００２としては、次に電気泳動表示部４により表示される画素情報が記憶されている。そのため、第１の実施形態では、前回表示データ１００１および現在表示データ１００２として記憶されている画素情報に基づいて、前回表示されていた画素情報と異なる画素に対応する電極のみに、表示制御部３により、表示を書き換える指令が送られる。表示を書き換える指令が送られた画素に対応する各電極への電圧制御がＣＰＵ２により命令される。上述した特徴を持つ電気泳動表示部４は、本発明における不揮発性表示部の一例である。
【００８０】
クレードル通信部１５は、クレードル１０１に備えられた静電センサ１５７〜１６０から入力された接触情報を、端末インターフェース１９とクレードルインターフェース１７とを介して、受信する。クレードル通信部１５は、本発明の受信部の一例である。
【００８１】
装着検出部１６は、クレードル１０１に閲覧端末装置１が装着されているか否かを検出する。図８はコネクタ１７１とコネクタ１７２とが接続することで、クレードル１０１に閲覧端末装置１が装着されたことを検出する方法の一例を示す。図８（ａ）は、閲覧端末装置１がクレードル１０１から取り外されている状態を、図８（ｂ）は、閲覧端末装置１がクレードル１０１に装着されている状態を示している。コネクタ１７１とコネクタ１７２とには、複数のピンが備えられている。閲覧端末装置１がクレードル１０１に装着されるとき、複数のピンの１つであるコネクタ１７１のコネクタピン１７１−ａと、コネクタ１７２のコネクタピン１７２−ａとが図８（ｂ）に示すように接続される。図８（ｂ）に示すように閲覧端末装置１がクレードル１０１に装着されているとき、ＣＰＵ２とアース８３とが抵抗８２を介して接続されることで、電源８１からアース８３へ電流が流れる。抵抗８２に電流が流れることにより電圧降下が発生することで、電源８１の電位よりＣＰＵ２の電位が小さくなる。電源８１の電位よりＣＰＵ２の電位が小さくなったことに基づいて、ＣＰＵ２は閲覧端末装置１がクレードル１０１に装着されていると判定する。図８（ａ）に示すように閲覧端末装置１がクレードル１０１に装着されていないとき、電源８１から抵抗８２を介して電流は流れない。そのため、電圧降下は発生せず、電源８１の電位とＣＰＵ２の電位とがほぼ等電位となる。電源８１の電位とＣＰＵ２の電位とが、ほぼ等電位であることに基づいて、ＣＰＵ２は閲覧端末装置１がクレードル１０１から取り外されていると判定する。装着検出部１６は、本発明の検出部の一例である。
【００８２】
＜第１の実施形態のメイン動作の説明＞
以上説明した構成からなる第１の実施形態の閲覧端末装置１の動作及び作用について、添付図面を参照して説明する。図９は、閲覧端末装置１におけるメイン動作の処理手順を示すフローチャートである。メイン動作は、電池またはコンセントを介して商用電源などの外部電源と閲覧端末装置１とが接続されたことにより、閲覧端末装置１のＣＰＵ２と電源制御部１２とに電力が供給された後に、ＣＰＵ２がメインプログラム９０１を実行することにより、遂行される。以下に示す処理は全てＣＰＵ２により処理される。
【００８３】
第１の実施形態の閲覧端末装置１では、最初にステップＳ１０１で本装置の電源スイッチがユーザによりＯＮされたかが判定される。電源スイッチがＯＮにされたと判定されるまで、ステップＳ１０１が繰り返される。電源スイッチがＯＮにされたと判定されると、ステップＳ１０２が実行される。電源スイッチはハードウェアを用いたスイッチであっても、ソフトウェアにより動作されるソフト電源スイッチであっても良い。
【００８４】
ステップＳ１０２では、装着検出部１６により閲覧端末装置１がクレードル１０１に装着されていることが検出されたかが判定される。閲覧端末装置１の装着が検出されたと判定された場合、ステップＳ１０３が実行される。閲覧端末装置１がクレードル１０１から取り外され装着が検出されていないと判定された場合、ステップＳ１２０が実行される。ステップＳ１０２は、本発明の検出ステップの一例である。
【００８５】
ステップＳ１０３では、閲覧端末装置１がクレードル１０１に装着されてから、クレードル１０１から取り外されるまでの時間をカウントするためのタイマー１のカウントがスタートされる。
【００８６】
ステップＳ１０４では、閲覧端末装置１が認証モードに設定される。第１の実施形態では、認証モードはユーザからの入力情報の入力を受け付ける状態である。認証モード時に、ユーザにより入力された入力情報が、入力情報１００４としてＲＡＭ１０に一時記憶される。ステップＳ１０４の認証モードは、本発明の制限モードの一例である。ステップＳ１０４の認証モードは認証情報の入力操作のみが可能である。
【００８７】
ステップＳ１０５では、ユーザにより入力された入力情報が、ＥＥＰＲＯＭ１１に記憶された認証情報１１０１のいずれかと一致するかが判定される（認証動作）。ＥＥＰＲＯＭ１１に記憶された認証情報１１０１のいずれかと、ＲＡＭ１０に入力情報１００４として記憶された入力情報とが一致すると判定された場合、ステップＳ１０６が実行される。ＥＥＰＲＯＭ１１に記憶された認証情報１１０１のいずれともユーザにより入力された入力情報が一致しないと判定された場合、ステップＳ１１２が実行される。ステップＳ１０５は、本発明の認証ステップの一例である。
【００８８】
ステップＳ１０６では、ユーザにより入力された入力情報１００４と一致した認証情報１１０１に対応するユーザ名が、図７に示すＥＥＰＲＯＭ１１に記憶された対応表に基づいて決定される。決定されたユーザ名は、ユーザ情報１１０４としてＥＥＰＲＯＭ１１に記憶される。説明の便宜上、ユーザにより、「操作キー１４４」、「操作キー１４２」と順に入力された例を用いて説明する。ユーザにより入力された入力情報は、入力情報１００４としてＲＡＭ１０に一時記憶される。ＲＡＭ１０に記憶される入力情報１００４と、ＥＥＰＲＯＭ１１に記憶された認証情報１１０１とが比較されることで、図７に示すユーザ名「Ｃ」の認証情報と一致したと判定される。ユーザ名「Ｃ」の認証情報と一致したと判定された場合、ユーザ名「Ｃ」が、ユーザ情報１１０４として閲覧端末装置１のＥＥＰＲＯＭ１１に記憶される。また、ステップＳ１０６では、タイマー２の時間のカウントがスタートされる。タイマー２により、入力情報とＥＥＰＲＯＭ１１に記憶された認証情報１１０１のいずれかと一致すると判定されてから、閲覧端末装置１がクレードル１０１に装着されている状態の経過時間が計測される。
【００８９】
ステップＳ１０７では、閲覧端末装置１が、閲覧端末操作１の処理動作を実行することが許可される通常動作モードに切り替えられる。通常動作モードは、閲覧端末装置１の使用可能な処理動作に対して制限がかけられていない状態である。閲覧端末装置１が通常モードに切り替えられることで、閲覧端末装置１は使用可能な処理動作に対して制限がかけられない状態で使用できる。ステップＳ１０７の通常動作モードは、本発明の許可モードの一例である。ステップＳ１０７は、本発明の許可ステップの一例である。
【００９０】
ステップＳ１０８では、タイマー２のカウントが開始されてから所定の時間が経過したかが判定される。所定の時間が経過したと判定された場合、ステップＳ１１１が実行される。所定の時間が経過したと判定されなかった場合、ステップＳ１０９が実行される。
【００９１】
ステップＳ１０９では、装着検出部１６により閲覧端末装置１がクレードル１０１から取り外されたと検出されたかが判定される。閲覧端末装置１の取り外しが検出されていないと判定された場合、ステップＳ１１０が実行される。閲覧端末装置１の取り外しが検出されたと判定された場合、ステップＳ１１１が実行される。ステップＳ１０９は、本発明の検出ステップの一例である。
【００９２】
ステップＳ１１０では、図１０に示す各種操作処理プログラム９０２がＲＯＭ９から読み出されて実行される。各種操作処理プログラム９０２の説明は図１０を用いて後述する。各種操作処理プログラム９０２により、表示切替または認証情報登録またはその他処理が実行される。
【００９３】
ステップＳ１１１では、ユーザにより電源スイッチがＯＦＦされたかが判定される。電源スイッチがＯＦＦにされなかった場合はステップＳ１０２へ戻り、再びステップＳ１０２が実行される。電源スイッチがＯＦＦにされた場合は、ステップＳ１０１へ戻り、再びステップＳ１０１が実行される。
【００９４】
ステップＳ１０５で、入力情報と認証情報とが一致した（認証が有り）と判定されなかった場合、ステップＳ１１２が実行される。ステップＳ１１２では、クレードル１０１から閲覧装置１が抜き取られたと検出されたかが判定される。クレードル１０１からの抜き取りが検出されたと判定された場合、ステップＳ１１３が実行される。クレードル１０１から閲覧端末装置１が抜き取られたと検出されない場合、ステップＳ１０５へ戻り、認証モード時に入力される入力情報とＥＥＰＲＯＭ１１に記憶された認証情報１１０１のいずれかとが一致するまで、ステップＳ１０５が実行される。ステップＳ１１２は、本発明の検出ステップの一例である。
【００９５】
ステップＳ１１３では、閲覧端末装置１がクレードル１０１に装着されてから取り外されるまでに経過した時間が、所定の時間に達したかを判定するために、タイマー１によりカウントされた時間が、所定の時間に達したかが判定される。タイマー１によりカウントされた時間が、所定の時間経過したと判定された場合、ステップＳ１１４が実行される。所定の時間が経過したと判定されない場合、ステップＳ１１５が実行される。
【００９６】
ステップＳ１１４では、ステップＳ１０５で認証が有りと判定されず、ステップＳ１１２でクレードル１０１から抜き取られ、且つ、ステップＳ１１３でタイマー１により所定の時間が経過したときに、閲覧端末装置１がクレードル１０１から不正に取り外されたと判定されることにより、不正操作防止処理プログラムが実行される。図１１に示す不正操作防止処理プログラム９０３がＲＯＭ９から読み出されて実行される。不正操作防止処理プログラム９０３の説明は図１１を用いて後述する。不正操作防止処理プログラム９０３により、閲覧端末装置１の使用可能な操作が制限される。
【００９７】
ステップＳ１１５では、タイマー１により計測された時間が所定の時間に達しておらず、且つ、閲覧端末装置１がクレードル１０１から取り外されたときに、閲覧端末装置１が通常動作モードに切り替えられる。ステップＳ１１５では、ユーザにより閲覧端末装置１がクレードル１０１に一時的に装着され、且つクレードル１０１から短時間で取り外された場合、閲覧端末装置１の使用が一時的に許可される。ステップＳ１１５の通常動作モードは、本発明の許可モードの一例である。ステップＳ１１５は、本発明の許可ステップの一例である。
【００９８】
ステップＳ１１６では、ステップＳ１１５で閲覧端末装置１の使用が一時的に許可されてからの経過時間を計測するために、タイマー１のカウントがリセットされ、タイマー１のカウントが再スタートされる。
【００９９】
ステップＳ１１７では、図１０に示す各種操作処理プログラム９０２がＲＯＭ９から読み出されて実行される。各種操作処理プログラム９０２の説明は図１０を用いて後述する。各種操作処理プログラム９０２により、表示切替または認証情報登録またはその他処理が実行される。
【０１００】
ステップＳ１１８では、ステップＳ１１５で閲覧端末装置１の使用が一時的に許可されてからの経過時間が、所定の時間に達したかが判定される。タイマー１により、閲覧端末装置１が一時的に通常動作モードに切り替えられてから所定の時間が経過したかが判定される。所定の時間が経過したと判定された場合、ステップＳ１１９が実行される。所定の経過時間が経過していないと判定された場合、ステップＳ１１７へ戻る。
【０１０１】
ステップＳ１１９では、タイマー１によりカウントされた時間が、所定の時間経過し、且つ、閲覧端末装置１がクレードル１０１から取り外されていると判定されたときに、不正操作防止処理プログラム９０３が実行される。図１１に示す不正操作防止処理プログラム９０３がＲＯＭ９から読み出されて実行される。不正操作防止処理プログラム９０３の説明は図１１を用いて後述する。不正操作防止処理プログラムにより、閲覧端末装置１の処理動作を実行することが制限される。
【０１０２】
ステップＳ１０２で、閲覧端末装置１がクレードル１０１からの抜き取りが検出されたと判定された場合、ステップＳ１２０が実行される。ステップＳ１２０では、閲覧端末装置１が通常動動作モードであるか否かが判定される。閲覧端末操作１が通常動作モードの場合、ステップＳ１２１が実行される。閲覧端末操作１が通常動作モードでない場合、ステップＳ１１１が実行される。
【０１０３】
ステップＳ１２１では、図１０に示す各種操作処理プログラム９０２がＲＯＭ９から読み出されて実行される。各種操作処理プログラム９０２の説明は図９を用いて後述する。各種操作処理プログラム９０２により、表示切替または認証情報登録またはその他処理が実行される。ステップＳ１２０及びステップＳ１２１は、本発明の許可ステップの一例である。
【０１０４】
（各種操作処理動作の説明）
図１０は、各種操作処理プログラム９０２に従う閲覧端末装置１の各種処理操作を実行する動作を示すフローチャートである。まず、ステップＳ２０１でユーザにより行われる処理が認証情報登録操作であるかが判定される。ユーザにより認証情報登録操作が行われると判定された場合、ステップＳ２０２が実行される。ユーザにより認証情報登録操作が行われないと判定された場合、ステップＳ２０３が実行される。
【０１０５】
ステップＳ２０２では、ユーザにより、閲覧端末装置１に備えられた操作キー１４１〜１４５または静電センサ１５１〜１５６と、クレードル１０１に備えられた静電センサ１５７〜１６０とを用いて、認証情報の登録操作が行われる。図７に示すように、ＥＥＰＲＯＭ１１の認証情報１１０１としてユーザ名と各ユーザごとに設定された認証情報とが記憶される。上述で説明した操作キー１４１〜１４５と静電センサ１５１〜１６０とＥＥＰＲＯＭ１１に記憶されている認証情報１１０１とＣＰＵ２とステップＳ２０２とから構成される機能は、本発明の情報登録部の一例である。ステップＳ２０２は、本発明の情報登録ステップの一例である。
【０１０６】
ステップＳ２０３では、ユーザにより表示切替操作が行われたかが判定される。ユーザにより表示切替が行われたと判定された場合、ステップＳ２０４が実行される。ユーザにより表示切替が行われないと判定された場合、ステップＳ２０５が実行される。
【０１０７】
ステップＳ２０４では、表示切替処理が実行される。閲覧端末装置１の電気泳動表示部４の表示が切り替えられる。
【０１０８】
ステップＳ２０５では、その他の操作がユーザにより行われたかが判定される。ユーザによりその他の操作が行われた場合、ステップＳ２０６が実行される。
【０１０９】
ステップＳ２０６では、ユーザによるその他の操作に従って処理が行われる。その他の操作に従う処理として、クレードル１０１を介してインターネットからのデータの転送、閲覧端末装置１に記憶されている情報の消去などがある。
【０１１０】
（不正操作防止処理動作の説明）
図１１は、不正操作防止処理プログラム９０３に従う閲覧端末装置１の不正操作防止処理を実行する動作を示すフローチャートである。まず、ステップ３０１では、閲覧端末装置１がクレードル１０１から不正に取り外されたと判定されたときに、不正操作防止処理プログラム９０３が実行される。不正操作防止処理プログラム９０３が実行されることにより、電気泳動表示部４に「不正です」と表示され、システム電源スイッチ２０により電源供給ブロック９９とシステム電源３０とが遮断される。第１の実施形態では、電気泳動表示部４が用いられている。そのため、システム電源スイッチ２０により電源供給ブロック９９に含まれる電気泳動表示部４とシステム電源３０とが遮断された場合でも、ステップＳ３０１で電気泳動表示部４により表示された「不正です」の表示は維持される。ステップＳ３０１は本発明の制限モードの一例である。ステップＳ３０１は、本発明の制限ステップの一例である。
【０１１１】
ステップＳ３０２では、不正操作防止処理の解除操作が行われたかが判定される。閲覧端末装置１の不正操作防止処理の解除操作が行われたと判定された場合、ステップＳ３０３が実行される。閲覧端末操作１の不正操作防止処理の解除操作が行われたと判定されるまで、ステップＳ３０２が繰り返し実行される。不正操作防止処理の解除操作が行われるまで、閲覧端末装置１が実行する処理動作に制限がかけられる。不正操作防止処理の解除操作は任意の方法で良い。第１の実施形態では、操作キー１４３が長押しされることで、閲覧端末装置１の不正操作防止処理の解除操作が行われた判定される。
【０１１２】
ステップＳ３０３では、閲覧端末操作１が認証モードに設定される。第１の実施形では、認証モードは、ユーザから入力情報の入力を受け付ける状態である。認証モード時に、ユーザにより入力された入力情報が、入力情報１００４としてＲＡＭ１０に一時記憶される。ステップＳ３０３の認証モードは、本発明の制限モードの一例である。ステップＳ１０４の認証モードは認証情報の入力操作のみが可能である。ステップＳ３０３は、本発明の制限ステップの一例である。
【０１１３】
ステップＳ３０４では、ユーザにより入力された入力情報が、ＥＥＰＲＯＭ１１に記憶された認証情報１１０１のいずれかと一致するかが判定される（認証動作）。ＥＥＰＲＯＭ１１に記憶された認証情報１１０１のいずれかとＲＡＭ１０に入力情報１００４として記憶された入力情報とが一致すると判定された場合、ステップＳ３０５が実行される。ＥＥＰＲＯＭ１１に記憶された認証情報１１０１のいずれとも入力情報が一致しないと判定された場合、ステップＳ３０４が繰り返し実行される。ステップＳ３０４は、本発明の認証ステップの一例である。
【０１１４】
ステップＳ３０５では、ステップＳ１０６と同様に、入力された入力情報と一致した認証情報に対応するユーザ名が決定される。決定されたユーザ名に基づいて、閲覧端末装置１のＥＥＰＲＯＭ１１にユーザ設定情報１１０４として、決定されたユーザ名が記憶される。
【０１１５】
ステップＳ３０６では、システム電源スイッチ２０により電源供給ブロック９９とシステム電源３０とが接続される。電源ブロック９９に含まれる電気泳動表示部４とシステム電源とが接続されることで、電気泳動表示部４により表示が維持されていた「不正です」の表示を切り替えることが可能になる。また、閲覧端末装置１が通常動作モードに切り替えられる。通常動作モードに切り替えられたことにより、電気泳動表示部４に「通常動作モード」と表示される。これにより、不正操作防止処理が終了する。ステップＳ３０６の通常動作モードは、本発明の許可モードの一例である。ステップＳ３０６は、本発明の許可ステップの一例である。
【０１１６】
［第２の実施形態］
以下、表示指令に従って表示情報を表示することが可能な閲覧端末装置と、閲覧端末装置が着脱可能に装着されるクレードルとの組み合わせに本発明を適用した第２の実施形態について図面を参照して説明する。第２の実施形態の外観的構成及び電気的構成は、第１の実施形態とほぼ同じ構成であるので、相違する部分についてのみ説明する。
【０１１７】
図１２と図１３とは、本発明を適用した第２の実施形態の閲覧端末装置１とクレードル１０１との概念的構成を示す。図１２は、第２の実施形態の閲覧端末装置１がクレードル１０１から取り外されている状態の外観図を示す。図１３は、第２の実施形態の閲覧端末装置１がクレードル１０１に装着されている状態の外観図を示す。
【０１１８】
第２の実施形態の閲覧端末装置１と第１の実施形態の閲覧端末装置１とは、ほぼ同じ構成である。相違する点は、第１の実施形態では表示情報を表示するために電気泳動表示部４が用いられていたのに対し、第２の実施形態では、液晶ディスプレイ２００４が用いられている。第２の実施形態では、液晶ディスプレイ２００４が用いられているが、ユーザに表示情報を表示可能であれば、他の表示装置を用いることも可能である。液晶ディスプレイ２００４は、本発明の表示部の一例である。
【０１１９】
図１４は、第２の実施形態の閲覧端末装置１の電気的構成を示すブロック図である。相違する点は、第１の実施形態では、表示制御部３に対して電気泳動表示部４が電気的に接続されているのに対して、第２の実施形態では、表示制御部３に対して液晶ディスプレイ２００４が電気的に接続されている。また、第２の実施形態では、メモリーカード２００６に、表示情報２６１０と機密判定情報２６２０とが記憶されている。
【０１２０】
図１４に示すように、メモリーカード２００６は、表示情報２６１０と機密判定情報２６２０とを記憶する。図１５は，機密判定情報２６２０がメモリーカード２００６に記憶される記憶状態を示す概念図の一例である。第２の実施形態では、メモリーカード２００６に記憶されている表示情報２６１０は、複数のページから構成されるファイルとして記憶されている。説明の便宜上、ファイル名がファイルα、ファイルβ、ファイルγの３つのファイルが閲覧端末装置１により閲覧される例を用いて説明する。図１５に示すように、各ファイルに対して機密度が設定されている。図１５では、ファイルαに対して機密度が「３」、ファイルβに対して機密度が「２」、ファイルγに対して機密度が「０」と設定されている。機密度「０」が付与されているファイルは、誰からでも閲覧が可能であることを表している。つまり、機密度「０」は、機密でないファイルであることを表している。また、機密度の値が大きいことは、機密度合いが高いことを表している。図１５の表により、ユーザ名「Ａ」、ユーザ名「Ｂ」、ユーザ名「Ｃ」それぞれに対して、ファイルα、ファイルβ、ファイルγが閲覧可能であるか閲覧不可能であるかが、「○」または「×」により表示されている。「○」は閲覧可能であること、「×」は閲覧不可能であることを表している。例えば、機密度が「３」と設定されているファイルαの場合、ユーザ名「Ａ」は閲覧可能であるが、ユーザ名「Ｂ」とユーザ名「Ｃ」とは閲覧不可能である。また、機密度が「２」と設定されているファイルβの場合、ユーザ名「Ａ」とユーザ名「Ｂ」とは閲覧可能であるが、ユーザ名「Ｃ」は閲覧不可能である。機密度は、ユーザまたはファイル作成者により任意の値を設定することができる。第２の実施形態では、各ファイルに対して機密度が設定されているが、ファイルを構成する各ページに対して機密度が設定されても良い。また、機密度が「０」以外のファイル全てが、閲覧不可能と設定されても良い。
【０１２１】
＜第２の実施形態のメイン動作の説明＞
以上説明した構成からなる第２の実施形態の閲覧端末装置１の動作及び作用について、添付図面を参照して説明する。第２の実施形態のメインプログラム９０１の動作及び作用は、第１の実施形態のメインプログラム９０１と同じであるので説明を省略する。
【０１２２】
（第２の実施形態の各種操作処理動作の説明）
第２の実施形態の各種操作処理プログラム９０２の動作及び作用は、第１の実施形態の各種操作処理プログラム９０２と同じであるので、説明を省略する。
【０１２３】
図１６は、本実施形態における不正操作防止処理プログラム９０３に従う不正操作防止処理動作の詳細を示すフローチャートである。まず、ステップＳ４０１では、閲覧端末装置１により閲覧される表示情報が記憶されるファイルが、機密設定されているかが判定される。つまり、第２の実施形態では、閲覧端末装置１により閲覧されるファイルの機密度が「０」でないかが判定される。機密設定されている場合、ステップＳ４０２が実行される。機密設定されていない場合、ステップＳ４０４が実行される。以下、説明の便宜上、ユーザＢによりファイルβが閲覧される場合について説明する。図１５の表により、ファイルβの機密度が「０」でないため、機密設定がされていると判定される。
【０１２４】
ステップＳ４０２では、閲覧端末装置１により閲覧される表示情報が、閲覧端末装置１において、ＥＥＰＲＯＭ１１のユーザ設定情報１１０４として記憶されているユーザ名に対して閲覧が許可されているかが判定される。閲覧端末装置１において、ＥＥＰＲＯＭ１１のユーザ設定情報１１０４に記憶されているユーザ名が閲覧を許可されている場合、ステップＳ４０４が実行される。ユーザが閲覧を許可されていない場合、ステップＳ４０３が実行される。
【０１２５】
ステップＳ４０３では、閲覧端末装置１において、ＥＥＰＲＯＭ１１のユーザ設定情報１１０４に記憶されているユーザ名が、該当するファイルの閲覧を許可されていない場合、液晶ディスプレイ２００４に「閲覧不可能」と表示される。
【０１２６】
ステップＳ４０４では、ステップＳ４０１で機密設定がされていないと判定されたこと、または、ステップＳ４０２で、ユーザ設定情報１１０４としてＥＥＰＲＯＭ１１に記憶されているユーザ名に対して閲覧が許可されていることに基づいて、液晶ディスプレイ２００４により表示される表示情報が、所望の表示情報に切り替えられる。説明の便宜上、ユーザ「Ｂ」によりファイルβが閲覧されている例を用いて説明する。図１５に示すように、ファイルβの機密度が「２」と設定されている。また、ファイルβはユーザ名「Ａ」とユーザ名「Ｂ」とが閲覧可能であることを示している。そのため、ステップＳ４０２では、閲覧端末装置１により表示されているファイルβはユーザ名「Ｂ」により閲覧可能であると判定されるため、ステップＳ４０４で、液晶ディスプレイ２００４により、所望の表示情報に切り替えることができる。ステップＳ４０１からステップＳ４０４は、本発明の制限モードの一例である。ステップＳ４０１からステップＳ４０４は、本発明の制限ステップの一例である。
【０１２７】
ステップＳ４０５では、ステップＳ３０２と同様に、所定の解除操作が行われたかが判定される。所定の解除操作が行われた場合、ステップＳ４０６が実行される。所定の解除操作が行われない場合、ステップＳ４０１が再び実行される。
【０１２８】
ステップＳ４０６では、閲覧端末装置１が、認証モードに変更される。認証モードは、ユーザから入力情報の入力を受け付ける状態である。認証モード時に、ユーザにより入力された入力情報が、入力情報１００４としてＲＡＭ１０に一時記憶される。ステップＳ４０６の認証モードは、本発明の制限モードの一例である。ステップＳ４０６の認証モードは認証情報の入力操作のみが可能である。ステップＳ４０６は、本発明の制限ステップの一例である。
【０１２９】
ステップＳ４０７では、ユーザにより入力された入力情報が、ＥＥＰＲＯＭ１１に記憶された認証情報１１０１のいずれかと一致するかが判定される（認証動作）。ＥＥＰＲＯＭ１１に記憶された認証情報１１０１のいずれかとＲＡＭ１０に入力情報１００４として記憶された入力情報とが一致すると判定された場合、ステップＳ４０８が実行される。ＥＥＰＲＯＭ１１に記憶された認証情報１１０１のいずれとも入力情報が一致しないと判定された場合、ステップ４０７が繰り返し実行される。ステップＳ４０７は、本発明の認証ステップの一例である。
【０１３０】
ステップＳ４０８では、閲覧端末装置１が通常動作モードに切り替えられる。通常動作モードに切り替えられたことに基づいて、液晶ディスプレイ２００４に「通常動作モード」と表示される。これにより、不正操作防止処理が終了する。ステップＳ４０８の通常動作モードは、本発明の許可モードの一例である。ステップＳ４０８は、本発明の許可ステップの一例である。
【０１３１】
（変形例１）
第２の実施形態における液晶ディスプレイ２００４の変形例１について説明する。第２の実施形態における液晶ディスプレイ２００４の代わりに、電気泳動表示部が用いられても良い。電気泳動表示部が用いられる場合、第２の実施形態の不正操作防止処理動作のステップＳ４０３で、「閲覧不可」と表示した後に、電源供給ブロック９９に含まれる電気泳動表示部とシステム電源３０とが遮断されても良い。また、第２の実施形態の不正操作防止処理動作のステップＳ４０８で、「通常動作モード」と表示した後に、電源供給ブロック９９に含まれる電気泳動表示部とシステム電源３０とが遮断されても良い。
【０１３２】
（変形例２）
第１の実施形態及び第２の実施形態の不正操作防止処理の変形例２について、添付図面を参照して以下に説明する。
【０１３３】
変形例２の電気的構成は、図６に示す第１の実施形態の電気的構成または図１４に示す第２の実施形態の電気的構成のいずれかの構成と同じ構成である。図１７は、変形例２のＲＯＭ３００９の記憶内容を示す。ＲＯＭ３００９は、第１の実施形態または第２の実施形態と同様の情報とプログラムを記憶している。それに加え、図１７に示す暗号化プログラム３９０４が記憶されている。暗号化プログラム３９０４は、閲覧端末装置１のメモリーとして機能するメモリーカード６またはメモリーカード２００６と、ＲＯＭ３００９と、ＥＥＰＲＯＭ１１に記憶される情報を暗号化するためのプログラムである。ＲＯＭ３００９に記憶される暗号化プログラム３９０４は、本発明の暗号化処理部の一例である。
【０１３４】
図１８は、変形例２の不正操作防止処理動作の処理手順を示すフローチャートである。まず、ステップＳ５０１では、閲覧端末装置１のメモリーとして機能するメモリーカード６またはメモリーカード２００６と、ＲＯＭ３００９と、ＥＥＰＲＯＭ１１のうち、少なくとも１以上の記憶装置に記憶される情報が暗号化される。ステップＳ５０１で用いられる暗号化方法は、ＡＥＳ（Ａｄｖａｎｃｅｄ  Ｅｎｃｒｙｐｔｉｏｎ  Ｓｔａｎｄａｒｄ）として規格化されている共通鍵暗号方式の公知の暗号化方法である。ステップＳ５０１は、本発明の制限モードの一例である。ステップＳ５０１は、本発明の制限ステップの一例である。
【０１３５】
ステップＳ５０２では、第１の実施形態の不正操作防止処理動作のステップＳ３０２及び第２の実施形態の不正操作防止処理動作のステップＳ４０５と同様に、不正操作防止処理の解除操作が行われたかが判定される。閲覧端末装置１の操作の不正操作防止処理の解除操作が行われたと判定された場合、ステップＳ５０３が実行される。閲覧端末操作１の不正操作防止処理の解除操作が行われたと判定されるまで、ステップＳ５０２が繰り返し実行される。不正操作防止処理の解除操作が行われるまで、ステップＳ５０２が繰り返し実行されることで、閲覧端末装置１が不正に使用されることを防いでいる。不正操作防止処理の解除操作は任意の方法で良い。
【０１３６】
ステップＳ５０３では、閲覧端末操作１の設定が認証モードに設定される。認証モード時に、ユーザにより入力された入力情報が、入力情報１００４としてＲＡＭ１０に一時記憶される。ステップＳ５０３の認証モードは、本発明の制限モードの一例である。ステップＳ５０３の認証モードは認証情報の入力操作のみが可能である。ステップＳ５０３は、本発明の制限ステップの一例である。
【０１３７】
ステップＳ５０４では、ユーザにより入力された入力情報が、ＥＥＰＲＯＭ１１に記憶された認証情報１１０１のいずれかと一致するかが判定される（認証動作）。ＥＥＰＲＯＭ１１に記憶された認証情報１１０１のいずれかとＲＡＭ１０に入力情報１００４として記憶された入力情報とが一致すると判定された場合、ステップＳ５０５が実行される。入力情報とＥＥＰＲＯＭ１１に記憶された認証情報１１０１のいずれとも一致しないと判定された場合、ステップＳ５０４が繰り返し実行される。ステップＳ５０４は、本発明の認証ステップの一例である。
【０１３８】
ステップＳ５０５では、ステップＳ１０６と同様に、入力された入力情報と一致したとステップＳ５０４で判定された認証情報に対応するユーザ名が決定される。入力情報と一致したＥＥＰＲＯＭ１１に記憶された認証情報１１０１に対応するユーザ名が、ユーザ設定情報１１０４としてＥＥＰＲＯＭ１１に記憶される。
【０１３９】
ステップＳ５０６では、閲覧端末装置１が通常動作モードに切り替えられる。また、ステップＳ５０１で暗号化された記憶装置の暗号化が解除される。これにより、不正操作防止処理が終了する。ステップＳ５０６の通常動作モードは、本発明の許可モードの一例である。ステップＳ５０６は、本発明の許可ステップの一例である。
【０１４０】
（変形例３）
第１の実施形態及び第２の実施形態の不正操作防止処理の変形例３について説明する。第１の実施形態または第２の実施形態では、ユーザにより入力される入力情報が、閲覧端末装置１とクレードル１０１とに備えられている操作キー及び静電センサにより入力されている。第１の実施形態及び第２の実施形態の不正操作防止処理の変形例３として、ＥＥＰＲＯＭ１１に記憶されている認証情報１１０１が、閲覧端末装置１に備えられている操作キー１４１〜１４５または静電センサ１５１〜１５６からの入力情報のみで構成されても良い。また、ＥＥＰＲＯＭ１１に記憶されている認証情報１１０１が、クレードル１０１に備えられている静電センサ１５７〜１６０からの入力情報のみで構成されても良い。
【０１４１】
（変形例４）
第１の実施形態及び第２の実施形態の変形例４について説明する。第１の実施形態または第２の実施形態では、表示情報を表示するため、電気泳動表示部４または液晶ディスプレイ２００４が用いられている。第１の実施形態及び第２の実施形態の不正操作防止処理の変形例４として、電気泳動表示部４または液晶ディスプレイ２００４が備えられていなくても良い。変形例４の場合、図１０に示す各種操作処理動作において、表示切替操作は実行されない。また、図１１に示す不正操作防止処理動作のステップＳ３０１とステップＳ３０６で、それぞれ電気泳動表示部４または液晶ディスプレイ２００４により表示情報が表示されているが、表示情報が表示されなくても良い。本発明の表示部が備えられていない携帯端末装置として、携帯型の音楽再生装置などが用いられても良い。
【０１４２】
（変形例５）
第１の実施形態及び第２の実施形態の変形例５について説明する。第１の実施形態または第２の実施形態では、図９に示すメイン動作のステップＳ１１２で、クレードル１０１から閲覧端末装置１が取り外されたと検出されたかが判定されている。クレードル１０１から閲覧端末装置１が取り外されたと検出された場合、ステップＳ１１３で、タイマー１により所定の時間が計測されたかに基づいて、ステップＳ１１４の不正操作防止処理を実行するかが決定されている。第１の実施形態または第２の実施形態の変形例５では、ステップＳ１１２で、クレードル１０１から閲覧端末装置１が取り外されたと検出された直後、ステップＳ１１４の不正操作防止処理が実行されても良い。
【０１４３】
（変形例６）
第１の実施形態及び第２の実施形態の不正操作防止処理動作の変形例６について説明する。第１の実施形態または第２の実施形態の不正操作防止処理動作の変形例６として、不正操作防止処理プログラム９０３不正操作防止処理が実行されることで、処理動作の実行が制限される閲覧端末装置１の処理動作が、操作キー１４１〜１４５の入力を一切受け付けないとしても良い。閲覧端末装置１の制限される処理動作が操作キーからの入力処理である場合、操作キーからの入力信号を全く受け付けない構成としても良い。また、操作キーからの入力信号は受け付けるが、操作キーからの入力信号に対応する処理動作が実行されない構成としても良い。
【０１４４】
（変形例７）
第１の実施形態及び第２の実施形態の不正操作防止処理動作の変形例７について説明する。クレードル１０１が、第１の実施形態及び第２の実施形態のＣＰＵと各種情報を記憶するメモリーとから構成されるコンピュータと、クレードル通信部１５と、装着検出部１６とを備える構成であっても良い。つまり、本発明の情報登録部と認証部と検出部とモード設定部と制御部とが、クレードル１０１に備えられていても良い。
【０１４５】
（変形例８）
第１の実施形態及び第２の実施形態の変形例８について説明する。本発明の装着装置の変形例８として、装着装置がクレードルに限定されるものではない。装着装置が、充電または、外部機器及びインターネットと接続するためのケーブルなどであっても良い。端末装置に装着される機器全般に適用可能である。
【０１４６】
（変形例９）
第１の実施形態及び第２の実施形態の変形例９について説明する。第１の実施形態及び第２の実施形態では、閲覧端末装置１に備えられている操作キー１４１〜１４５の全てを、入力情報を入力するための情報入力部として用いている。操作キー１４１〜１４５の少なくとも１つの特定の操作キーが、入力情報を入力するための情報入力部として用いられる構成でも良い。また、閲覧端末装置１と、クレードル１０１とに備えられている静電センサのうち、少なくとも１つの特定の静電センサが、入力情報を入力するための情報入力部として用いられても良い。
【０１４７】
（変形例１０）
第１の実施形態のメイン動作プログラム９０１の変形例１０について説明する。第１の実施形態のメイン動作プログラム９０１のステップＳ１１５で閲覧端末装置１が通常動作モードに切り替えられた後に、所定の時間経過後に不正操作防止処理プログラムが実行される旨を電気泳動表示部４により表示し、その後、システム電源スイッチ２０により、電源供給ブロック９９に含まれる電気泳動表示部４とシステム電源３０とが遮断されても良い。その場合、ステップＳ１１７の各種操作処理動作として、ステップＳ２０２またはステップＳ２０４またはステップＳ２０６が実行されない場合、電源供給ブロック９９に含まれる電気泳動表示部４とシステム電源３０とが遮断された状態を維持し続ける。
【０１４８】
（変形例１１）
第１の実施形態及び第２の実施形態の変形例１１について説明する。第１の実施形態の図１１に示す不正操作防止処理動作のステップＳ３０１及びステップＳ３０６または、第２の実施形態の図１６に示す不正操作防止処理動作のステップＳ４０３及びステップＳ４０８において、システム電源スイッチ２０により、電源供給ブロック９９とシステム電源３０とが切断されている。変形例１１として、第１の実施形態の図１１に示す不正操作防止処理動作のステップＳ３０１及びステップＳ３０６または、第２の実施形態の図１６に示す不正操作防止処理動作のステップＳ４０３及びステップＳ４０８において、少なくとも電気泳動表示部４とシステム電源３０とが接続または遮断されている構成でも良い。
【０１４９】
（変形例１２）
第１の実施形態及び第２の実施形態の不正操作防止処理の変形例２における変形例１１について説明する。メモリーカード６またはメモリーカード２００６と、ＲＯＭ９またはＲＯＭ３００９と、ＥＥＰＲＯＭ１１との全ての記憶装置に記憶される情報が暗号化されても良い。少なくとも電気泳動表示部４または液晶ディスプレイ２００４に表示される表示情報６１０または表示情報２６１０が暗号化されても良い。上述した記憶装置に記憶される情報の全てではなく、その一部の情報のみが暗号化されても良い。
【０１５０】
（変形例１３）
第１の実施形態及び第２の実施形態のメイン動作プログラム９０１の変形例１３について説明する。第１の実施形態または第２の実施形態の変形例１３では、ステップＳ１０４により閲覧端末装置１が認証モードに設定され、ユーザにより入力された入力情報が入力情報１００４としてＲＡＭ１０に一時記憶される。ステップＳ１０５では、ＲＡＭ１０に入力情報１００４として記憶された入力情報とＥＥＰＲＯＭ１１に記憶された認証情報１１０１のいずれかと一致するかが判定される。その後、ステップＳ１１２によりクレードルから抜き取られたと検出されたかが判定されることで、不正操作防止処理が実行されるかが決定されている。ステップＳ１１２により閲覧端末装置１がクレードル１０１から抜き取られる前に、ステップＳ１０４及びステップＳ１０５により入力情報１００４と認証情報１１０１のいずれかと一致するかが判定されることで、不正な操作を事前に検出することができる。抜き取り前に不正な操作そのものが検出されることで、不正な操作に対して迅速に対応することができる。例えば、抜き取り前に不正な操作そのものが検出された場合、不正な操作が検出されたことを抜き取り前または抜き取り直後にアラームにより報知することができる。また、不正な操作そのものが検出された時点で、不正操作防止処理プログラムを実行することができる。しかし、本発明は、上述した実施形態の処理手順に限定されるものではない。例えば、ステップＳ１０４及びステップＳ１０５で実行される処理が、ステップＳ１１２により閲覧端末装置１がクレードル１０１から抜き取られたと検出された後に実行されても良い。また、ステップＳ１１２により閲覧端末装置１がクレードル１０１から抜き取られたと検出される前にステップＳ１０４が実行され、ステップＳ１１２が実行された後にステップＳ１０５が実行されても良い。つまり、ステップＳ１０４によりユーザから入力された入力情報が入力情報１００４としてＲＡＭ１０に一時記憶される。その後、ステップＳ１１２により閲覧端末装置１がクレードル１０１から抜き取られたと検出された後に、ステップＳ１０５によりＲＡＭ１０に記憶された入力情報１００４とＥＥＰＲＯＭ１１に記憶された認証情報１１０１とが一致するかが判定されても良い。この場合、ステップＳ１０５による一致の判定は、ステップＳ１１２により抜き取りの検出が判定されてから所定の時間内に行われ、その一致の判定がない状態で所定の時間が経過した後は制限モードが設定されて閲覧端末装置１の処理が制限される。
【０１５１】
（変形例１４）
第１の実施形態及び第２の実施形態のメイン動作プログラム９０１の変形例１４について説明する。第１の実施形態または第２の実施形態の変形例１４では、ステップＳ１１２により閲覧端末装置１がクレードル１０１から抜き取られたと検出された後に、閲覧端末装置１が通常動作モードに設定されるのか、不正操作防止処理プログラム９０３が実行されるのかが判定されても良い。つまり、閲覧端末装置１がクレードル１０１から抜き取られたと検出された後に、本発明のモード設定部に許可モードと制限モードとのいずれかに設定させても良い。
【０１５２】
（変形例１５）
第１の実施形態において電気泳動表示部４が用いられている。本明細書では、電気泳動表示装置を用いているが、駆動電圧が供給されていないときに、表示されている表示情報を維持するメモリー効果を備える表示装置であれば、特に限定されない。電子粉粒体により構成される表示装置であっても良い。
【０１５３】
（変形例１６）
第１の実施形態及び第２の実施形態のメイン動作プログラム９０１の変形例１６について説明する。第１の実施形態及び第２の実施形態の変形例１６では、ステップＳ１０２によりクレードル１０１に装着されたと検出された後に、ステップＳ１０４の代わりに不正操作防止処理プログラム９０３が実行されても良い。上記の場合、ステップＳ１１２により閲覧端末装置１がクレードル１０１から取り外されたと検出された後に、ステップＳ１１４により不正操作防止処理プログラム９０３が実行される代わりにステップＳ１０４及びステップＳ１０５により、ＲＡＭ１０に入力情報１００４として記憶された入力情報とＥＥＰＲＯＭ１１に記憶された認証情報１１０１のいずれかと一致するかが判定されても良い。
【図面の簡単な説明】
【０１５４】
【図１】第１の実施形態における閲覧端末装置１がクレードル１０１から取り外されている状態を示す外観図である。
【図２】第１の実施形態における閲覧端末装置１がクレードル１０１に装着されている状態を示す外観図である。
【図３】第１の実施形態における電気泳動表示部４の正面図である。
【図４】第１の実施形態における図３に示す電気泳動表示部４のＡ−Ａ’線に従う矢視方向断面図である。
【図５】第１の実施形態における図３に示す電気泳動表示部４のＢ−Ｂ’線に従う矢視方向断面図である。
【図６】第１の実施形態における閲覧端末装置１とクレードル１０１との電気的構成を示すブロック図である。
【図７】第１の実施形態におけるＥＥＰＲＯＭ１１に認証情報１１０１が記憶される記憶状態一例を示す概念図である。
【図８】装着検出部１６の構成の一例を表す概念図を示す。
【図９】第１の実施形態におけるメイン動作を示すフローチャートである。
【図１０】第１の実施形態における各種操作処理動作を示すフローチャートである。
【図１１】第１の実施形態における不正操作防止処理動作を示すフローチャートである。
【図１２】第２の実施形態における閲覧端末装置１がクレードル１０１から取り外されている状態を示す外観図である。
【図１３】第２の実施形態における閲覧端末装置１がクレードル１０１に装着されている状態を示す外観図である。
【図１４】第２の実施形態における閲覧端末装置１とクレードル１０１との電気的構成を示すブロック図である。
【図１５】第２の実施形態におけるメモリーカード２００６に機密判定情報２６２０が記憶される記憶状態一例を示す概念図である。
【図１６】第２の実施形態における不正操作防止処理動作を示すフローチャートである。
【図１７】第１の実施形態及び第２の実施形態の変形例２におけるＲＯＭ３００９の記憶内容の詳細を示す図である。
【図１８】第１の実施形態及び第２の実施形態の変形例２における不正操作防止処理動作のフローチャートである。
【符号の説明】
【０１５５】
１  閲覧端末装置
２  ＣＰＵ
３  表示制御部
４  電気泳動表示部
５  メモリーカードインタフェース
６、２００６  メモリーカード
９、３００９  ＲＯＭ
１０  ＲＡＭ
１１  ＥＥＰＲＯＭ
１２  電源制御部
１５  クレードル通信部
１６  装着検出部
１７  クレードルインターフェース
１９  端末インターフェース
２０  システム電源スイッチ
２１  画素
２２  電源インターフェース
２３  通信インターフェース
３０  システム電源
３３ａ、３３ｂ  帯電粒子
３４  分散媒
３５  画素空間
４０  マスク部
５０  下部基板
５１  下部電極保護膜
５２  下部電極
５３  筐体支持部
６０  上部基板
６１  上部電極保護膜
６２  上部電極
６３  表示層
７０  表示部
７１  スペーサー
８１  電源
８２  抵抗
８３  アース
９９  電源供給ブロック
１４１、１４２、１４３、１４４、１４５  操作キー
１５１、１５２、１５３、１５４、１５５、１５６、１５７、１５８、１５９、１６０  静電センサ
１７１、１７２  コネクタ
１７１−ａ、１７２−ａ、１７１−ｂ、１７２−ｂ  コネクタピン
６１０、２６１０  表示情報
２６２０  機密判定情報
９０１、３９０１  メイン動作プログラム
９０２、３９０２  各種処理操作プログラム
９０３、３９０３  不正操作防止処理プログラム
１００１  前回表示データ
１００２  現在表示データ
１００３  ページ展開データ
１００４  入力情報
１１０１  認証情報
１１０２  表示ファイル情報
１１０３  表示中ページ情報
１１０４  ユーザ設定情報
２００４  液晶ディスプレイ
３９０４  暗号化プログラム
【図１】
0004557033.tif 000002
【図２】
0004557033.tif 000003
【図３】
0004557033.tif 000004
【図４】
0004557033.tif 000005
【図５】
0004557033.tif 000006
【図６】
0004557033.tif 000007
【図７】
0004557033.tif 000008
【図８】
0004557033.tif 000009
【図９】
0004557033.tif 000010
【図１０】
0004557033.tif 000011
【図１１】
0004557033.tif 000012
【図１２】
0004557033.tif 000013
【図１３】
0004557033.tif 000014
【図１４】
0004557033.tif 000015
【図１５】
0004557033.tif 000016
【図１６】
0004557033.tif 000017
【図１７】
0004557033.tif 000018
【図１８】
0004557033.tif 000019